(57)【要約】【課題】プラグフレームに所定の荷重がかかり、プラグフレームが案内凸部の縦方向上方へ撓ったとしても、係合ヘッドと光コネクタアダプタとの係合が解除されることがない光コネクタプラグを提供することにある。【解決手段】光コネクタプラグ１０Ａは、係合ラッチ３７の係合ヘッド４０の軸方向前端４２が案内凸部３５の軸方向後端４３から軸方向後方へ離間しつつ案内凸部３５の軸方向後端４３に近接している。光コネクタプラグ１０Ａでは、プラグフレーム１２に所定の荷重がかかり、プラグフレーム１２が案内凸部３５の縦方向上方へ撓ったときに、係合ヘッド４０の軸方向前端４２が案内凸部３５の軸方向後端４３に支持されることで、案内凸部３５から縦方向下方への係合ヘッド４０の移動が阻止される。【選択図】図１
2019028425.tif 000002
【特許請求の範囲】
【請求項１】
光ファイバを保持して軸方向へ延びるフェルールと、前記フェルールを収容して軸方向へ延びるプラグフレームと、前記プラグフレームに係入するストップリングと、前記フェルールと前記ストップリングとの間に配置されて該フェルールを軸方向前方へ付勢するばねと、前記プラグフレームを光コネクタアダプタに連結する係合ラッチとを有し、前記プラグフレームが、その軸方向前方に位置する凸部を有し、前記係合ラッチが、前記プラグフレームの軸方向後方から前記凸部に向かって軸方向へ延びていて縦方向へ弾性変形可能なアームと、前記アームの軸方向前方に位置して前記プラグフレームを前記光コネクタアダプタに挿入したときに該光コネクタアダプタに係脱可能に係合する係合ヘッドとを有する光コネクタプラグにおいて、
前記係合ヘッドの軸方向前端が、前記凸部の軸方向後端から軸方向後方へ離間しつつ該凸部の軸方向後端に近接し、前記光コネクタプラグでは、前記プラグフレームに所定の荷重がかかり、前記プラグフレームが前記凸部の縦方向上方へ撓ったときに、前記係合ヘッドの軸方向前端が前記凸部に支持されることで、前記凸部から縦方向下方への前記係合ヘッドの移動が阻止されることを特徴とする光コネクタプラグ。
【請求項２】
前記凸部の軸方向後端に対する前記係合ヘッドの軸方向前端の軸方向後方への離間寸法が、０．０１〜０．２ｍｍの範囲にある請求項１に記載の光コネクタプラグ。
【請求項３】
前記係合ヘッドの軸方向前端が、前記凸部の軸方向後端の縦方向上方へ離間しつつ該凸部の軸方向後端に近接している請求項１または請求項２に記載の光コネクタプラグ。
【請求項４】
前記凸部の軸方向後端に対する前記係合ヘッドの軸方向前端の縦方向上方への離間寸法が、０．０１〜０．４ｍｍの範囲にある請求項３に記載の光コネクタプラグ。
【請求項５】
前記凸部が、平坦に延びる所定面積の頂面を有し、前記光コネクタプラグでは、前記プラグフレームに所定の荷重がかかり、前記プラグフレームが前記凸部の縦方向上方へ撓ったときに、前記係合ヘッドの軸方向前端が前記凸部の頂面に支持される請求項１ないし請求項４いずれかに記載の光コネクタプラグ。
【請求項６】
前記係合ラッチのアームが、前記プラグフレームの軸方向後方に取り付けられて該プラグフレームの軸方向後方から前記凸部に向かって軸方向へ延びている請求項１ないし請求項５いずれかに記載の光コネクタプラグ。
【請求項７】
前記光コネクタプラグが、前記ストップリングを収容するケーシングを含み、前記係合ラッチのアームが、前記ケーシングの頂壁に取り付けられて該ケーシングの頂壁から軸方向前方へ延出しつつ、前記ケーシングの前端開口から軸方向前方へ露出している請求項１ないし請求項５いずれかに記載の光コネクタプラグ。
【請求項８】
前記凸部が、前記プラグフレームの軸方向前方に形成されて該プラグフレームを前記光コネクタアダプタに挿入するときの位置決めとなる案内凸部である請求項１ないし請求項７いずれかに記載の光コネクタプラグ。
【請求項９】
第１光ファイバを保持して軸方向へ延びる第１フェルールと、前記第１フェルールを収容して軸方向へ延びる第１プラグフレームと、前記第１プラグフレームに係入する第１ストップリングと、前記第１フェルールと前記第１ストップリングとの間に配置されて該第１フェルールを軸方向前方へ付勢する第１ばねと、前記第１プラグフレームを前記光コネクタアダプタに連結する第１係合ラッチと、前記第１プラグフレームの軸方向前方に位置する第１凸部とを有する第１光コネクタアセンブリと、第２光ファイバを保持して軸方向へ延びる第２フェルールと、前記第２フェルールを収容して軸方向へ延びる第２プラグフレームと、前記第２プラグフレームに係入する第２ストップリングと、前記第２フェルールと前記第２ストップリングとの間に設置されて該第２フェルールを軸方向前方へ付勢する第２ばねと、前記第２プラグフレームを前記光コネクタアダプタに連結する第２係合ラッチと、前記第２プラグフレームの軸方向前方に位置する第２凸部とを有して前記第１光コネクタアセンブリに並行する第２光コネクタアセンブリとから形成され、前記第１係合ラッチが、前記第１プラグフレームの軸方向後方から前記第１凸部に向かって軸方向へ延びていて縦方向へ弾性変形可能な第１アームと、前記第１アームの軸方向前方に位置して前記第１プラグフレームを前記光コネクタアダプタに挿入したときに該光コネクタアダプタに係脱可能に係合する第１係合ヘッドとを有し、前記第２係合ラッチが、前記第２プラグフレームの軸方向後方から前記第２凸部に向かって軸方向へ延びていて縦方向へ弾性変形可能な第２アームと、前記第２アームの軸方向前方に位置して前記第２プラグフレームを前記光コネクタアダプタに挿入したときに該光コネクタアダプタに係脱可能に係合する第２係合ヘッドとを有する二連式の光コネクタプラグにおいて、
前記第１係合ヘッドの軸方向前端が、前記第１凸部の軸方向後端から軸方向後方へ離間しつつ該第１凸部の軸方向後端に近接し、前記第２係合ヘッドの軸方向前端が、前記第２凸部の軸方向後端から軸方向後方へ離間しつつ該第２凸部の軸方向後端に近接し、前記光コネクタプラグでは、前記第１プラグフレームに所定の荷重がかかり、前記第１プラグフレームが前記第１凸部の縦方向上方へ撓ったときに、前記第１係合ヘッドの軸方向前端が前記第１凸部に支持されることで、前記第１凸部から縦方向下方への前記第１係合ヘッドの移動が阻止され、前記第２プラグフレームに所定の荷重がかかり、前記第２プラグフレームが前記第２凸部の縦方向上方へ撓ったときに、前記第２係合ヘッドの軸方向前端が前記第２凸部に支持されることで、前記第２凸部から縦方向下方への前記第２係合ヘッドの移動が阻止されることを特徴とする二連式の光コネクタプラグ。
【請求項１０】
前記第１凸部の軸方向後端に対する前記第１係合ヘッドの軸方向前端の軸方向後方への離間寸法が、０．０１〜０．２ｍｍの範囲にあり、前記第２凸部の軸方向後端に対する前記第２係合ヘッドの軸方向前端の軸方向後方への離間寸法が、０．０１〜０．２ｍｍの範囲にある請求項９に記載の二連式の光コネクタプラグ。
【請求項１１】
前記第１係合ヘッドの軸方向前端が、前記第１凸部の軸方向後端の縦方向上方へ離間しつつ該第１凸部の軸方向後端に近接し、前記第２係合ヘッドの軸方向前端が、前記第２凸部の軸方向後端の縦方向上方へ離間しつつ該第２凸部の軸方向後端に近接している請求項９または請求項１０に記載の二連式の光コネクタプラグ。
【請求項１２】
前記第１凸部の軸方向後端に対する前記第１係合ヘッドの軸方向前端の縦方向上方への離間寸法が、０．０１〜０．４ｍｍの範囲にあり、前記第２凸部の軸方向後端に対する前記第２係合ヘッドの軸方向前端の縦方向上方への離間寸法が、０．０１〜０．４ｍｍの範囲にある請求項１１に記載の二連式の光コネクタプラグ。
【請求項１３】
前記二連式の光コネクタプラグが、前記第１ストップリングの後端部と前記第２ストップリングの後端部とを収容する第１ケーシングと、前記第１ケーシングを軸方向へ収容する第２ケーシングとを含み、前記第１係合ラッチの第１アームが、前記第２ケーシングの頂壁に取り付けられて該第２ケーシングの頂壁から軸方向前方へ延出しつつ、前記第２ケーシングの前端開口から軸方向前方へ露出し、前記第２係合ラッチの第２アームが、前記第２ケーシングの頂壁に取り付けられて該第２ケーシングの頂壁から軸方向前方へ延出しつつ、前記第２ケーシングの前端開口から軸方向前方へ露出している請求項９ないし請求項１２いずれかに記載の二連式の光コネクタプラグ。
【請求項１４】
前記第１凸部が、前記第１プラグフレームの軸方向前方に形成されて該第１プラグフレームを前記光コネクタアダプタに挿入するときの位置決めとなる第１案内凸部であり、前記第２凸部が、前記第２プラグフレームの軸方向前方に形成されて該第２プラグフレームを前記光コネクタアダプタに挿入するときの位置決めとなる第２案内凸部である請求項９ないし請求項１３いずれかに記載の二連式の光コネクタプラグ。
【発明の詳細な説明】
【技術分野】
【０００１】
本発明は、光コネクタプラグおよび二連式の光コネクタプラグに関する。
【背景技術】
【０００２】
調心アームとフェルールアセンブリとを係合させた状態で、フェルールアセンブリをコネクタのハウジング内部において回転させて調心を行うことができる光コネクタプラグが開示されている（特許文献１参照）。この光コネクタプラグは、調心アームを有するハウジング（プラグフレーム）、フェルールおよびフェルールホルダを有してハウジングに収容されたフェルールアセンブリ、接着剤チューブ、コイルスプリング、主部材、クリンプスリーブ、ブーツを備えている。ハウジングの前端部の頂壁には、案内凸部が形成され、ハウジングの後端部の頂壁には、係合ラッチ（係止片）が一体につながっている。係合ラッチは、ハウジングの後端部から案内凸部に向かって軸方向前方へ延びるアームと、アームの前端部に形成された係合ヘッドとを有する。アームは、可撓性を有し、縦方向へ弾性変形可能（旋回可能）である。
【０００３】
光コネクタプラグを光コネクタアダプタに連結するには、ハウジングの案内凸部を光コネクタアダプタの案内レールに対向させ、ハウジングを光コネクタアダプタの挿入開口から光コネクタアダプタの内部に挿入する。ハウジングを光コネクタアダプタに挿入した状態で、ハウジングを軸方向前方へ移動させると、係合ラッチのアームが光コネクタアダプタの内部に次第に進入し、光コネクタアダプタの頂壁によって係合ラッチの係合ヘッドが縦方向下方へ押圧され、アームが縦方向下方へ弾性変形して係合ヘッドが縦方向下方へ押し下げられる。
【０００４】
ハウジングをさらに軸方向前方へ移動させ、係合ラッチの係合ヘッドが光コネクタアダプタの係止部に移動すると、アームが縦方向上方へ弾性変形して係合ヘッドが光コネクタアダプタの係止部に係合し、光コネクタプラグが光コネクタアダプタに連結される。係合ラッチの係合ヘッドが光コネクタアダプタの係止部に係合することで、ハウジングの光コネクタアダプタに対する挿入状態が維持される。
【先行技術文献】
【特許文献】
【０００５】
【特許文献１】特開２００４−２３４００８号公報
【発明の概要】
【発明が解決しようとする課題】
【０００６】
前記特許文献１に開示の光コネクタプラグは、ブーツから軸方向後方へ延びる光ファイバコードが軸方向後方へ強く引っ張られた状態で光ファイバコードが縦方向上方へ引き上げられてハウジング（プラグフレーム）に所定の荷重がかかり、ハウジングが案内凸部の縦方向上方へ撓ったり、または、光ファイバコードが軸方向後方へ強く引っ張られた状態で光ファイバコードが円弧を画くように回転させられてハウジング（プラグフレーム）に所定の荷重がかかり、ハウジングが案内凸部の縦方向上方へ撓ると、係合ラッチの係合ヘッドがハウジングの頂壁に向かって縦方向下方に下がり（おじぎをし）、係合ヘッドと光コネクタアダプタの係止部との係合が解除され、係合ヘッドが係止部から外れて光コネクタプラグと光コネクタアダプタとの連結が不用意に解除される場合がある。
【０００７】
本発明の目的は、ブーツから軸方向後方へ延びる光ファイバコードが軸方向後方へ強く引っ張られた状態で光ファイバコードが縦方向上方へ引き上げられてプラグフレームに所定の荷重がかかり、プラグフレームがその頂面の縦方向上方へ撓ったり、または、光ファイバコードが軸方向後方へ強く引っ張られた状態で光ファイバコードが円弧を画くように回転させられてプラグフレームに所定の荷重がかかり、プラグフレームがその頂面の縦方向上方へ撓ったとしても、係合ラッチの係合ヘッドと光コネクタアダプタの係止部との係合が不用意に解除されることはなく、光コネクタプラグと光コネクタアダプタとの連結解除を防ぐことができる光コネクタプラグおよび二連式の光コネクタプラグを提供することにある。
【課題を解決するための手段】
【０００８】
前記課題を解決するための本発明の第１の前提は、光ファイバを保持して軸方向へ延びるフェルールと、フェルールを収容して軸方向へ延びるプラグフレームと、プラグフレームに係入するストップリングと、フェルールとストップリングとの間に配置されてフェルールを軸方向前方へ付勢するばねと、プラグフレームを光コネクタアダプタに連結する係合ラッチとを有し、プラグフレームが、その軸方向前方に位置する凸部を有し、係合ラッチが、プラグフレームの軸方向後方から凸部に向かって軸方向へ延びていて縦方向へ弾性変形可能なアームと、アームの軸方向前方に位置してプラグフレームを光コネクタアダプタに挿入したときに光コネクタアダプタに係脱可能に係合する係合ヘッドとを有する光コネクタプラグである。
【０００９】
前記第１の前提における本発明の光コネクタプラグの特徴は、係合ヘッドの軸方向前端が、凸部の軸方向後端から軸方向後方へ離間しつつ凸部の軸方向後端に近接し、光コネクタプラグでは、プラグフレームに所定の荷重がかかり、プラグフレームが凸部の縦方向上方へ撓ったときに、係合ヘッドの軸方向前端が凸部に支持されることで、凸部から縦方向下方への係合ヘッドの移動が阻止されることにある。
【００１０】
本発明の光コネクタプラグの一例としては、凸部の軸方向後端に対する係合ヘッドの軸方向前端の軸方向後方への離間寸法が０．０１〜０．２ｍｍの範囲にある。
【００１１】
本発明の光コネクタプラグの他の一例としては、係合ヘッドの軸方向前端が凸部の軸方向後端の縦方向上方へ離間しつつ凸部の軸方向後端に近接している。
【００１２】
本発明の光コネクタプラグの他の一例としては、凸部の軸方向後端に対する係合ヘッドの軸方向前端の縦方向上方への離間寸法が０．０１〜０．４ｍｍの範囲にある。
【００１３】
本発明の光コネクタプラグの他の一例としては、凸部が平坦に延びる所定面積の頂面を有し、光コネクタプラグでは、プラグフレームに所定の荷重がかかり、プラグフレームが凸部の縦方向上方へ撓ったときに、係合ヘッドの軸方向前端が凸部の頂面に支持される。
【００１４】
本発明の光コネクタプラグの他の一例としては、係合ラッチのアームがプラグフレームの軸方向後方に取り付けられてプラグフレームの軸方向後方から凸部に向かって軸方向へ延びている。
【００１５】
本発明の光コネクタプラグの他の一例としては、光コネクタプラグがストップリングを収容するケーシングを含み、係合ラッチのアームがケーシングの頂壁に取り付けられてケーシングの頂壁から軸方向前方へ延出しつつ、ケーシングの前端開口から軸方向前方へ露出している。
【００１６】
本発明の光コネクタプラグの他の一例としては、凸部がプラグフレームの軸方向前方に形成されてプラグフレームを光コネクタアダプタに挿入するときの位置決めとなる案内凸部である。
【００１７】
前記課題を解決するための本発明の第２の前提は、
第１光ファイバを保持して軸方向へ延びる第１フェルールと、第１フェルールを収容して軸方向へ延びる第１プラグフレームと、第１プラグフレームに係入する第１ストップリングと、第１フェルールと第１ストップリングとの間に配置されて第１フェルールを軸方向前方へ付勢する第１ばねと、第１プラグフレームを光コネクタアダプタに連結する第１係合ラッチと、第１プラグフレームの軸方向前方に位置する第１凸部とを有する第１光コネクタアセンブリと、第２光ファイバを保持して軸方向へ延びる第２フェルールと、第２フェルールを収容して軸方向へ延びる第２プラグフレームと、第２プラグフレームに係入する第２ストップリングと、第２フェルールと第２ストップリングとの間に設置されて第２フェルールを軸方向前方へ付勢する第２ばねと、第２プラグフレームを光コネクタアダプタに連結する第２係合ラッチと、第２プラグフレームの軸方向前方に位置する第２凸部とを有して第１光コネクタアセンブリに並行する第２光コネクタアセンブリとから形成され、第１係合ラッチが、第１プラグフレームの軸方向後方から第１凸部に向かって軸方向へ延びていて縦方向へ弾性変形可能な第１アームと、第１アームの軸方向前方に位置して第１プラグフレームを光コネクタアダプタに挿入したときに光コネクタアダプタに係脱可能に係合する第１係合ヘッドとを有し、第２係合ラッチが、第２プラグフレームの軸方向後方から第２凸部に向かって軸方向へ延びていて縦方向へ弾性変形可能な第２アームと、第２アームの軸方向前方に位置して第２プラグフレームを光コネクタアダプタに挿入したときに光コネクタアダプタに係脱可能に係合する第２係合ヘッドとを有する二連式の光コネクタプラグである。
【００１８】
前記第２の前提における本発明の二連式の光コネクタプラグの特徴は、
第１係合ヘッドの軸方向前端が、第１凸部の軸方向後端から軸方向後方へ離間しつつ第１凸部の軸方向後端に近接し、第２係合ヘッドの軸方向前端が、第２凸部の軸方向後端から軸方向後方へ離間しつつ第２凸部の軸方向後端に近接し、光コネクタプラグでは、第１プラグフレームに所定の荷重がかかり、第１プラグフレームが第１凸部の縦方向上方へ撓ったときに、第１係合ヘッドの軸方向前端が第１凸部に支持されることで、第１凸部から縦方向下方への第１係合ヘッドの移動が阻止され、第２プラグフレームに所定の荷重がかかり、第２プラグフレームが第２凸部の縦方向上方へ撓ったときに、第２係合ヘッドの軸方向前端が第２凸部に支持されることで、第２凸部から縦方向下方への第２係合ヘッドの移動が阻止されることにある。
【００１９】
本発明の二連式の光コネクタプラグの一例としては、第１凸部の軸方向後端に対する第１係合ヘッドの軸方向前端の軸方向後方への離間寸法が０．０１〜０．２ｍｍの範囲にあり、第２凸部の軸方向後端に対する第２係合ヘッドの軸方向前端の軸方向後方への離間寸法が０．０１〜０．２ｍｍの範囲にある。
【００２０】
本発明の二連式の光コネクタプラグの他の一例としては、第１係合ヘッドの軸方向前端が第１凸部の軸方向後端の縦方向上方へ離間しつつ第１凸部の軸方向後端に近接し、第２係合ヘッドの軸方向前端が第２凸部の軸方向後端の縦方向上方へ離間しつつ第２凸部の軸方向後端に近接している。
【００２１】
本発明の二連式の光コネクタプラグの他の一例としては、第１凸部の軸方向後端に対する第１係合ヘッドの軸方向前端の縦方向上方への離間寸法が０．０１〜０．４ｍｍの範囲にあり、第２凸部の軸方向後端に対する第２係合ヘッドの軸方向前端の縦方向上方への離間寸法が０．０１〜０．４ｍｍの範囲にある。
【００２２】
本発明の二連式の光コネクタプラグの他の一例として、二連式の光コネクタプラグが、第１ストップリングの後端部と第２ストップリングの後端部とを収容する第１ケーシングと、第１ケーシングを軸方向へ収容する第２ケーシングとを含み、第１係合ラッチの第１アームが第２ケーシングの頂壁に取り付けられて第２ケーシングの頂壁から軸方向前方へ延出しつつ、第２ケーシングの前端開口から軸方向前方へ露出し、第２係合ラッチの第２アームが第２ケーシングの頂壁に取り付けられて第２ケーシングの頂壁から軸方向前方へ延出しつつ、第２ケーシングの前端開口から軸方向前方へ露出している。
【００２３】
本発明の二連式の光コネクタプラグの他の一例としては、第１凸部が第１プラグフレームの軸方向前方に形成されて第１プラグフレームを光コネクタアダプタに挿入するときの位置決めとなる第１案内凸部であり、第２凸部が第２プラグフレームの軸方向前方に形成されて第２プラグフレームを光コネクタアダプタに挿入するときの位置決めとなる第２案内凸部である。
【発明の効果】
【００２４】
本発明に係る光コネクタプラグによれば、ブーツから軸方向後方へ延びる光ファイバコードが軸方向後方へ強く引っ張られた状態で光ファイバコードが縦方向上方へ引き上げられてプラグフレームに所定の荷重がかかり、プラグフレームが凸部の縦方向上方へ撓ったり、または、光ファイバコードが軸方向後方へ強く引っ張られた状態で光ファイバコードが円弧を画くように回転させられてプラグフレームに所定の荷重がかかり、プラグフレームが凸部の縦方向上方へ撓ったとしても、係合ヘッドの軸方向前端が凸部の軸方向後端から軸方向後方へ離間しつつ凸部の軸方向後端に近接することで、プラグフレームが凸部の縦方向上方へ撓ったときに係合ヘッドの軸方向前端と凸部の軸方向後端との距離が縮まって係合ヘッドの軸方向前端が凸部に支持されるから、凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。光コネクタプラグは、その使用中にプラグフレームに所定の荷重がかかったとしても、係合ヘッドと光コネクタアダプタの係止部との係合が不用意に解除される事故を防ぐことができ、光コネクタプラグと光コネクタアダプタとの連結が不用意に解除された場合の光コネクタプラグと光コネクタアダプタとを再連結する労力を省くことができる。
【００２５】
凸部の軸方向後端に対する係合ヘッドの軸方向前端の軸方向後方への離間寸法が０．０１〜０．２ｍｍの範囲にある光コネクタプラグは、ブーツから軸方向後方へ延びる光ファイバコードが軸方向後方へ強く引っ張られた状態で光ファイバコードが縦方向上方へ引き上げられてプラグフレームに所定の荷重がかかり、プラグフレームが凸部の縦方向上方へ撓ったり、または、光ファイバコードが軸方向後方へ強く引っ張られた状態で光ファイバコードが円弧を画くように回転させられてプラグフレームに所定の荷重がかかり、プラグフレームが凸部の縦方向上方へ撓ったとしても、凸部の軸方向後端に対する係合ヘッドの軸方向前端の軸方向後方への離間寸法が前記範囲にあり、プラグフレームが凸部の縦方向上方へ撓ったときに係合ヘッドの軸方向前端と凸部の軸方向後端との距離が縮まって係合ヘッドの軸方向前端が凸部に確実に支持されるから、凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００２６】
係合ヘッドの軸方向前端が凸部の軸方向後端の縦方向上方へ離間しつつ凸部の軸方向後端に近接している光コネクタプラグは、ブーツから軸方向後方へ延びる光ファイバコードが軸方向後方へ強く引っ張られた状態で光ファイバコードが縦方向上方へ引き上げられてプラグフレームに所定の荷重がかかり、プラグフレームが凸部の縦方向上方へ撓ったり、または、光ファイバコードが軸方向後方へ強く引っ張られた状態で光ファイバコードが円弧を画くように回転させられてプラグフレームに所定の荷重がかかり、プラグフレームが凸部の縦方向上方へ撓ったとしても、係合ヘッドの軸方向前端が凸部の軸方向後端の縦方向上方へ離間しつつ凸部の軸方向後端に近接することで、プラグフレームが凸部の縦方向上方へ撓ったときに係合ヘッドの軸方向前端と凸部の軸方向後端との距離が縮まって係合ヘッドの軸方向前端が凸部に支持されるから、案内凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００２７】
凸部の軸方向後端に対する係合ヘッドの軸方向前端の縦方向上方への離間寸法が０．０１〜０．４ｍｍの範囲にある光コネクタプラグは、ブーツから軸方向後方へ延びる光ファイバコードが軸方向後方へ強く引っ張られた状態で光ファイバコードが縦方向上方へ引き上げられてプラグフレームに所定の荷重がかかり、プラグフレームが凸部の縦方向上方へ撓ったり、または、光ファイバコードが軸方向後方へ強く引っ張られた状態で光ファイバコードが円弧を画くように回転させられてプラグフレームに所定の荷重がかかり、プラグフレームが凸部の縦方向上方へ撓ったとしても、凸部の軸方向後端に対する係合ヘッドの軸方向前端の縦方向上方への離間寸法が前記範囲にあり、プラグフレームが凸部の縦方向上方へ撓ったときに係合ヘッドの軸方向前端と凸部の軸方向後端との距離が縮まって係合ヘッドの軸方向前端が凸部に確実に支持されるから、凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００２８】
凸部が平坦に延びる所定面積の頂面を有し、プラグフレームに所定の荷重がかかり、プラグフレームが凸部の縦方向上方へ撓ったときに、係合ヘッドの軸方向前端が凸部の頂面に支持される光コネクタプラグは、プラグフレームが凸部の縦方向上方へ撓ったときに係合ヘッドの軸方向前端と凸部の軸方向後端との距離が縮まって係合ヘッドの軸方向前端が凸部の頂面に支持されるから、凸部から縦方向下方への係合ヘッドの移動（おじぎ）を確実に阻止することができ、係合ヘッドと光コネクタアダプタの係止部との係合が不用意に解除されることはなく、光コネクタプラグと光コネクタアダプタとの光接続状態を維持することができる。
【００２９】
係合ラッチのアームがプラグフレームの軸方向後方に取り付けられてプラグフレームの軸方向後方から凸部に向かって軸方向へ延びている光コネクタプラグは、プラグフレームに所定の荷重がかかり、プラグフレームが凸部の縦方向上方へ撓ったときに、プラグフレームの軸方向後方から凸部に向かって軸方向へ延びるアームの軸方向前方に位置する係合ヘッドの軸方向前端と凸部の軸方向後端との距離が縮まり、係合ヘッドの軸方向前端が凸部に支持されるから、凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００３０】
ストップリングを収容するケーシングを含み、係合ラッチのアームがケーシングの頂壁に取り付けられてケーシングの頂壁から軸方向前方へ延出しつつ、ケーシングの前端開口から軸方向前方へ露出している光コネクタプラグは、プラグフレームに所定の荷重がかかり、プラグフレームが凸部の縦方向上方へ撓ったときに、ケーシングの前端開口から軸方向前方へ露出するアームの軸方向前方に位置する係合ヘッドの軸方向前端と凸部の軸方向後端との距離が縮まり、係合ヘッドの軸方向前端が凸部に支持されるから、凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００３１】
凸部がプラグフレームの軸方向前方に形成されてプラグフレームを光コネクタアダプタに挿入するときの位置決めとなる案内凸部である光コネクタプラグは、凸部がプラグフレームを光コネクタアダプタに挿入するときの案内としての機能を有するとともに、プラグフレームに所定の荷重がかかり、プラグフレームが案内凸部の縦方向上方へ撓ったときに、係合ヘッドの軸方向前端と案内凸部の軸方向後端との距離が縮まり、係合ヘッドの軸方向前端が案内凸部に支持されるから、案内凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【００３２】
本発明に係る二連式の光コネクタプラグによれば、ブーツから軸方向後方へ延びる光ファイバコードが軸方向後方へ強く引っ張られた状態で光ファイバコードが縦方向上方へ引き上げられて第１および第２プラグフレームに所定の荷重がかかり、それらプラグフレームが第１および第２凸部の縦方向上方へ撓ったり、または、光ファイバコードが軸方向後方へ強く引っ張られた状態で光ファイバコードが円弧を画くように回転させられて第１および第２プラグフレームに所定の荷重がかかり、それらプラグフレームが第１および第２凸部の縦方向上方へ撓ったとしても、第１係合ヘッドの軸方向前端が第１凸部の軸方向後端から軸方向後方へ離間しつつ第１凸部の軸方向後端に近接し、第２係合ヘッドの軸方向前端が第２凸部の軸方向後端から軸方向後方へ離間しつつ第２凸部の軸方向後端に近接することで、第１および第２プラグフレームが第１および第２凸部の縦方向上方へ撓ったときに第１および第２係合ヘッドの軸方向前端と第１および第２凸部の軸方向後端との距離が縮まってそれら係合ヘッドの軸方向前端がそれら凸部に支持されるから、第１および第２凸部から縦方向下方への第１および第２係合ヘッドの移動（おじぎ）を阻止することができ、第１および第２係合ヘッドと光コネクタアダプタの係止部との係合が不用意に解除されることはなく、二連式の光コネクタプラグと光コネクタアダプタとの光接続状態を維持することができる。二連式の光コネクタプラグは、その使用中に第１および第２プラグフレームに所定の荷重がかかったとしても、第１および第２係合ヘッドと光コネクタアダプタの係止部との係合が不用意に解除される事故を防ぐことができ、二連式の光コネクタプラグと光コネクタアダプタとの連結が不用意に解除された場合の光コネクタプラグと光コネクタアダプタとの再連結の労力を省くことができる。
【００３３】
第１凸部の軸方向後端に対する第１係合ヘッドの軸方向前端の軸方向後方への離間寸法が０．０１〜０．２ｍｍの範囲にあり、第２凸部の軸方向後端に対する第２係合ヘッドの軸方向前端の軸方向後方への離間寸法が０．０１〜０．２ｍｍの範囲にある二連式の光コネクタプラグは、ブーツから軸方向後方へ延びる光ファイバコードが軸方向後方へ強く引っ張られた状態で光ファイバコードが縦方向上方へ引き上げられて第１および第２プラグフレームに所定の荷重がかかり、それらプラグフレームが第１および第２凸部の縦方向上方へ撓ったり、または、光ファイバコードが軸方向後方へ強く引っ張られた状態で光ファイバコードが円弧を画くように回転させられて第１および第２プラグフレームに所定の荷重がかかり、それらプラグフレームが第１および第２凸部の縦方向上方へ撓ったとしても、第１凸部の軸方向後端に対する第１係合ヘッドの軸方向前端の軸方向後方への離間寸法が前記範囲にあり、第２凸部の軸方向後端に対する第２係合ヘッドの軸方向前端の軸方向後方への離間寸法が前記範囲にあり、第１および第２プラグフレームが第１および第２凸部の縦方向上方へ撓ったときに、第１および第２係合ヘッドの軸方向前端と第１および第２凸部の軸方向後端との距離が縮まってそれら係合ヘッドの軸方向前端がそれら凸部に確実に支持されるから、第１および第２凸部から縦方向下方への第１および第２係合ヘッドの移動（おじぎ）を阻止することができ、第１および第２係合ヘッドと光コネクタアダプタの係止部との係合が不用意に解除されることはなく、二連式の光コネクタプラグと光コネクタアダプタとの光接続状態を維持することができる。
【００３４】
第１係合ヘッドの軸方向前端が第１凸部の軸方向後端の縦方向上方へ離間しつつ第１凸部の軸方向後端に近接し、第２係合ヘッドの軸方向前端が第２凸部の軸方向後端の縦方向上方へ離間しつつ第２凸部の軸方向後端に近接している二連式の光コネクタプラグは、ブーツから軸方向後方へ延びる光ファイバコードが軸方向後方へ強く引っ張られた状態で光ファイバコードが縦方向上方へ引き上げられて第１および第２プラグフレームに所定の荷重がかかり、それらプラグフレームが第１および第２凸部の縦方向上方へ撓ったり、または、光ファイバコードが軸方向後方へ強く引っ張られた状態で光ファイバコードが円弧を画くように回転させられて第１および第２プラグフレームに所定の荷重がかかり、それらプラグフレームが第１および第２凸部の縦方向上方へ撓ったとしても、第１および第２係合ヘッドの軸方向前端が第１および第２凸部の軸方向後端の縦方向上方へ離間しつつ第１および第２凸部の軸方向後端に近接することで、第１および第２プラグフレームが第１および第２凸部の縦方向上方へ撓ったときに、第１および第２係合ヘッドの軸方向前端と第１および第２凸部の軸方向後端との距離が縮まってそれら係合ヘッドの軸方向前端がそれら凸部に支持されるから、第１および第２凸部から縦方向下方への第１および第２係合ヘッドの移動（おじぎ）を阻止することができ、第１および第２係合ヘッドと光コネクタアダプタの係止部との係合が不用意に解除されることはなく、二連式の光コネクタプラグと光コネクタアダプタとの光接続状態を維持することができる。
【００３５】
第１凸部の軸方向後端に対する第１係合ヘッドの軸方向前端の縦方向上方への離間寸法が０．０１〜０．４ｍｍの範囲にあり、第２凸部の軸方向後端に対する第２係合ヘッドの軸方向前端の縦方向上方への離間寸法が０．０１〜０．４ｍｍの範囲にある二連式の光コネクタプラグは、ブーツから軸方向後方へ延びる光ファイバコードが軸方向後方へ強く引っ張られた状態で光ファイバコードが縦方向上方へ引き上げられて第１および第２プラグフレームに所定の荷重がかかり、それらプラグフレームが第１および第２凸部の縦方向上方へ撓ったり、または、光ファイバコードが軸方向後方へ強く引っ張られた状態で光ファイバコードが円弧を画くように回転させられて第１および第２プラグフレームに所定の荷重がかかり、それらプラグフレームが第１および第２凸部の縦方向上方へ撓ったとしても、第１凸部の軸方向後端に対する第１係合ヘッドの軸方向前端の縦方向上方への離間寸法が前記範囲にあり、第２凸部の軸方向後端に対する第２係合ヘッドの軸方向前端の縦方向上方への離間寸法が前記範囲にあり、第１および第２プラグフレームが第１および第２凸部の縦方向上方へ撓ったときに、第１および第２係合ヘッドの軸方向前端と第１および第２凸部の軸方向後端との距離が縮まってそれら係合ヘッドの軸方向前端がそれら凸部に確実に支持されるから、第１および第２凸部から縦方向下方への第１および第２係合ヘッドの移動（おじぎ）を阻止することができ、第１および第２係合ヘッドと光コネクタアダプタの係止部との係合が不用意に解除されることはなく、二連式の光コネクタプラグと光コネクタアダプタとの光接続状態を維持することができる。
【００３６】
第１ストップリングの後端部と第２ストップリングの後端部とを収容する第１ケーシングと、第１ケーシングを軸方向へ収容する第２ケーシングとを含み、第１係合ラッチの第１アームが第２ケーシングの頂壁に取り付けられて第２ケーシングの頂壁から軸方向前方へ延出しつつ、第２ケーシングの前端開口から軸方向前方へ露出し、第２係合ラッチの第２アームが第２ケーシングの頂壁に取り付けられて第２ケーシングの頂壁から軸方向前方へ延出しつつ、第２ケーシングの前端開口から軸方向前方へ露出している二連式の光コネクタプラグは、第１および第２プラグフレームが第１および第２凸部の縦方向上方へ撓ったときに、第２ケーシングの頂壁から軸方向へ延びる第１および第２係合ラッチの第１および第２係合ヘッドの軸方向前端と第１および第２凸部の軸方向後端との距離が縮まってそれら係合ヘッドの軸方向前端がそれら凸部に確実に支持されるから、第１および第２凸部から縦方向下方への第１および第２係合ヘッドの移動（おじぎ）を阻止することができ、第１および第２係合ヘッドと光コネクタアダプタの係止部との係合が不用意に解除されることはなく、二連式の光コネクタプラグと光コネクタアダプタとの光接続状態を維持することができる。また、第１および第２係合ラッチが第１および第２光コネクタアセンブリの第１および第２プラグフレームに設置されていると、それら係合ラッチが邪魔となってそれら光コネクタアセンブリを同一方向に回転させることができないが、第１および第２係合ラッチが第２ケーシングの頂壁に設置されているから、それら係合ラッチが邪魔することなくそれら光コネクタアセンブリを同一方向に回転させることができる。
【００３７】
第１凸部が第１プラグフレームの軸方向前方に形成されて第１プラグフレームを光コネクタアダプタに挿入するときの位置決めとなる第１案内凸部であり、第２凸部が第２プラグフレームの軸方向前方に形成されて第２プラグフレームを光コネクタアダプタに挿入するときの位置決めとなる第２案内凸部である光コネクタプラグは、第１および第２凸部がプラグフレームを光コネクタアダプタに挿入するときの案内としての機能を有するとともに、プラグフレームに所定の荷重がかかり、プラグフレームが第１および第２案内凸部の縦方向上方へ撓ったときに、係合ヘッドの軸方向前端と第１および第２案内凸部の軸方向後端との距離が縮まり、係合ヘッドの軸方向前端がそれら案内凸部に支持されるから、第１および第２案内凸部から縦方向下方への係合ヘッドの移動（おじぎ）を阻止することができ、係合ヘッドと光コネクタアダプタの係止部との係合が不用意に解除されることはなく、光コネクタプラグと光コネクタアダプタとの光接続状態を維持することができる。
【図面の簡単な説明】
【００３８】
【図１】一例として示す光コネクタプラグの斜視図。
【図２】光コネクタプラグの側面図。
【図３】光コネクタプラグの上面図。
【図４】光コネクタプラグの正面図。
【図５】光コネクタプラグの分解斜視図。
【図６】図４のＡ−Ａ線矢視断面図。
【図７】図４のＢ−Ｂ線矢視断面図。
【図８】光コネクタアダプタに連結された状態で示す光コネクタプラグの側面図。
【図９】光コネクタアダプタに連結された状態で示す光コネクタプラグの正面図。
【図１０】図９のＣ−Ｃ線矢視断面図。
【図１１】図９のＤ−Ｄ線矢視断面図。
【図１２】光コネクタアダプタと光コネクタプラグとの連結を解除する場合の光コネクタプラグの側面図。
【図１３】光コネクタアダプタと光コネクタプラグとの連結中にプラグフレームが案内凸部の縦方向上方へ撓った状態で示す光コネクタプラグの正面図。
【図１４】光コネクタアダプタと光コネクタプラグとの連結中にプラグフレームが案内凸部の縦方向上方へ撓った状態で示す光コネクタプラグの側面図。
【図１５】他の一例として示す光コネクタプラグの斜視図。
【図１６】光コネクタプラグの側面図。
【図１７】光コネクタプラグの上面図。
【図１８】光コネクタプラグの正面図。
【図１９】光コネクタプラグの分解斜視図。
【図２０】図１８のＥ−Ｅ線矢視断面図。
【図２１】図１８のＦ−Ｆ線矢視断面図。
【図２２】光コネクタアダプタに連結された状態で示す光コネクタプラグの側面図。
【図２３】光コネクタアダプタに連結された状態で示す光コネクタプラグの正面図。
【図２４】図２３のＧ−Ｇ線矢視断面図。
【図２５】図２３のＨ−Ｈ線矢視断面図。
【図２６】光コネクタアダプタと光コネクタプラグとの連結を解除する場合の光コネクタプラグの側面図。
【図２７】光コネクタアダプタと光コネクタプラグとの連結中にプラグフレームが案内凸部の縦方向上方へ撓った状態で示す光コネクタプラグの正面図。
【図２８】光コネクタアダプタと光コネクタプラグとの連結中にプラグフレームが案内凸部の縦方向上方へ撓った状態で示す光コネクタプラグの側面図。
【図２９】一例として示す二連式の光コネクタプラグの斜視図。
【図３０】二連式の光コネクタプラグの側面図。
【図３１】二連式の光コネクタプラグの上面図。
【図３２】二連式の光コネクタプラグの正面図。
【図３３】二連式の光コネクタプラグの分解斜視図。
【図３４】図３２のＩ−Ｉ線矢視断面図。
【図３５】図３２のＪ−Ｊ線矢視断面図。
【図３６】図３２のＫ−Ｋ線矢視断面図。
【図３７】第１および第２プラグフレームの斜視図。
【図３８】図３７のＬ−Ｌ線矢視断面図。
【図３９】図３７のＭ−Ｍ線矢視断面図。
【図４０】第１および第２ストップリングの斜視図。
【図４１】他の方向から示す第１および第２ストップリングの斜視図。
【図４２】中間歯車の斜視図。
【図４３】２つに分離した状態で示す第１ケーシングの斜視図。
【図４４】２つに分離した状態で示す第１ケーシングの内面図。
【図４５】第１ケーシング７１の頂壁８１の外面図。
【図４６】第２ケーシングの上面図。
【図４７】第２ケーシングの正面図。
【図４８】図４６のＮ−Ｎ線矢視断面図。
【図４９】スライダーの斜視図。
【図５０】スライダーの正面図。
【図５１】図４９のＯ−Ｏ線矢視断面図。
【図５２】光コネクタアダプタに連結された状態で示す光コネクタプラグの側面図。
【図５３】光コネクタアダプタに連結された状態で示す光コネクタプラグの正面図。
【図５４】図５３のＰ−Ｐ線矢視断面図。
【図５５】図５３のＱ−Ｑ線矢視断面図。
【図５６】光コネクタアダプタと光コネクタプラグとの連結を解除する場合の光コネクタプラグの側面図。
【図５７】光コネクタアダプタと光コネクタプラグとの連結中にプラグフレームが第１および第２案内凸部の縦方向上方へ撓った状態で示す光コネクタプラグの正面図。
【図５８】光コネクタアダプタと光コネクタプラグとの連結中にプラグフレームが第１および第２案内凸部の縦方向上方へ撓った状態で示す光コネクタプラグの側面図。
【図５９】係合ヘッドの軸方向前端が案内凸部の軸方向後端の近傍に位置せず、軸方向前端が案内凸部の軸方向後端に近接しない光コネクタプラグの側面図。
【図６０】係合ヘッドが案内凸部の縦方向下方へ移動（おじぎ）した状態の光コネクタプラグの側面図。
【発明を実施するための形態】
【００３９】
一例として示す光コネクタプラグ１０Ａの斜視図である図１等の添付の図面を参照し、本発明にかかる光コネクタプラグの詳細を説明すると、以下のとおりである。なお、図２は、光コネクタプラグ１０Ａの側面図であり、図３は、光コネクタプラグ１０Ａの上面図である。図４は、光コネクタプラグ１０Ａの正面図であり、図５は、光コネクタプラグ１０Ａの分解斜視図である。図６は、図４のＡ−Ａ線矢視断面図であり、図７は、図４のＢ−Ｂ線矢視断面図である。図１〜図３では、軸方向を矢印Ｗ、縦方向を矢印Ｘで示し、横方向を矢印Ｙで示す。
【００４０】
光コネクタプラグ１０Ａは、光コネクタアダプタ５１（図８参照）に取り付けることで光ファイバどうしの光接続に使用される。光コネクタプラグ１０Ａは、軸方向へ延びるフェルール１１と、フェルール１１を収容するプラグフレーム１２と、プラグフレーム１２に係入するストップリング１３と、ばね１４（コイルスプリング）と、カシメリング１５およびブーツ１６とから形成されている。図５の分解斜視図では、軸方向前方から後方に向かってプラグフレーム１２、フェルール１１、ばね１４、ストップリング１３、カシメリング１５、ブーツ１６の順に並んでいる。
【００４１】
フェルール１１は、軸方向へ延びるキャピラリ１７と、軸方向へ延びる円筒状に成形されたスリーブ１８とから形成されている。キャピラリ１７には、少なくとも１本の光ファイバ１９が保持されている。キャピラリ１７は、軸方向へ長い略円柱状に成形され、その軸方向先端に光ファイバ１９の端面が露出する先端面２０を有するとともに、先端面２０の端面外径域に面取り部２１を有する。なお、面取り部２１の形状には、角面や丸面等の形状があるが、いずれの形状であってもよい。先端面２０は、径方向へ垂直に延びる垂直な面である。面取り部２１は、先端面２０から軸方向後方に向かうにつれて径方向外方へ次第に傾斜している。
【００４２】
キャピラリ１７は、ジルコニア等のセラミックス材料、プラスチック材料、結晶化ガラスやホウケイ酸ガラス、石英等のガラス材料等から作られている。なお、図示のキャピラリ１７には、ジルコニアから作られたジルコニアキャピラリが使用されている。キャピラリ１７の外径は、１．２４８５ｍｍ〜１．２４９５ｍｍである。キャピラリ１７（フェルール１１）の内部には、軸方向へ延びる光ファイバ挿入孔２２が穿孔されている。光ファイバ１９は、キャピラリ１７に穿孔された光ファイバ挿入孔２２に挿入されている。
【００４３】
スリーブ１８は、キャピラリ１７（フェルール１１）の軸方向後方に連結されている。スリーブ１８の軸方向後方には、光ファイバ１９の外周全域を被覆して軸方向へ延びる心線カバー２３（ＰＴＦＥチューブ）が連結されている。スリーブ１８の前端には、その径がキャピラリ１７や心線カバー２３のそれよりも大きい多角筒状のフランジ２４が一体に成形されている。スリーブ１８やフランジ２４は、ステンレスや真鍮、鉄鋼等の金属材料、または、合成樹脂材料から作られている。スリーブ１８の内部には、キャピラリ１７を挿入保持するキャピラリ挿入孔２５と、光ファイバ１９を内蔵した光ファイバ心線１１１を挿入保持する心線挿入孔２６とが穿孔されている。
【００４４】
スリーブ１８のキャピラリ挿入孔２５にはキャピラリ１７の後端部が挿入され、キャピラリ１７の後端部がスリーブ１８のキャピラリ挿入孔２５に固定保持されている。スリーブ１８の心線挿入孔２６には光ファイバ心線１１１の一端部が挿入され、光ファイバ心線１１１の一端部がスリーブ１８の心線挿入孔２６に固定保持されている。なお、スリーブ１８の軸方向の断面形状は図示の円筒状に限定されず、軸方向へ長い角筒状であってもよい。
【００４５】
プラグフレーム１２は、合成樹脂材料から作られ、中空の略四角柱状に成形されている。プラグフレーム１２は、上下方向へ離間対向して軸方向へ延びる頂壁２７および底壁２８と、横方向へ離間対向して軸方向へ延びる両側壁２９，３０とを有する。プラグフレーム１２には、それら壁２７〜３０に囲繞されて軸方向へ延びるフェルール収容スペース３１が画成され、キャピラリ１７の先端部が露出する前端露出口３２が開口しているとともに、フェルール１１を挿入する後端挿入口３３が開口している。
【００４６】
プラグフレーム１２の前端露出口３２の軸方向後方には、フェルール収容スペース３１の内周面から径方向内方へ当接部５０が延びている。当接部５０には、スリーブ１８のフランジ２４が当接する。スリーブ１８のフランジ２４が当接部５０に当接することで、プラグフレーム１２に対するスリーブ１８の軸方向前方へのそれ以上の移動が阻止される。
【００４７】
プラグフレーム１２の軸方向中央における両側壁２９，３０には、横方向へ開口する嵌合孔３４が穿孔されている。プラグフレーム１２の軸方向前方における頂壁２７には、頂壁２７から縦方向上方へ凸となって軸方向へ延びる案内凸部３５（凸部）が形成されている。案内凸部３５は、平坦に延びる所定面積の頂面３６を有する。プラグフレーム１２の頂壁２７には、係合ラッチ３７が形成されている。
【００４８】
係合ラッチ３７は、プラグフレーム１２と一体成形され、プラグフレーム１２の頂壁２７の軸方向後方に位置して頂壁２７につながるベース３８と、ベース３８につながるアーム３９と、アーム３９の軸方向前方に位置する係合ヘッド４０とを有する。アーム３９は、頂壁２７から縦方向上方へ離間し、頂壁２７の軸方向後方につながるベース３８（プラグフレーム１２の軸方向後方）から案内凸部３５に向かって軸方向前方へ延びている。アーム３９は、可撓性を有し、縦方向へ弾性変形可能（旋回可能）である。
【００４９】
係合ヘッド４０は、横方向外方へ張り出す一対の係合凸部４１を有する。係合凸部４１は、プラグフレーム１２を光コネクタアダプタ５１に挿入したときに光コネクタアダプタ５１の係止部５２に係脱可能に係合する。係合ヘッド４０は、係合凸部４１を除く横方向の寸法がアーム３９のそれよりも大きく、案内凸部３５の頂面２７の横方向の寸法と略同一である。係合ヘッド４０は、アーム３９の縦方向への弾性変形にともなって縦方向へ揺動する。
【００５０】
係合ヘッド４０の軸方向前端４２は、図２に示すように、案内凸部３５の軸方向後端４３から軸方向後方へわずかに離間しつつ、案内凸部３５の軸方向後端４３の縦方向上方へわずかに離間し、案内凸部３５の軸方向後端４３近傍に位置して案内凸部３５の軸方向後端４３に近接している。案内凸部３５の軸方向後端４３に対する係合ヘッド４０の軸方向前端４２の軸方向後方への離間寸法は、０．０１〜０．２ｍｍの範囲にある。案内凸部３５の軸方向後端４３に対する係合ヘッド４０の軸方向前端４２の縦方向上方への離間寸法は、０．０１〜０．４ｍｍの範囲にある。
【００５１】
なお、光コネクタプラグ１０Ａでは、係合ヘッド４０の軸方向前端４２が案内凸部３５の軸方向後端４３の縦方向上方へ離間することなく、係合ヘッド４０の軸方向前端４２が案内凸部３５の軸方向後端４３から軸方向後方へわずかに離間し、軸方向前端４２が案内凸部３５の軸方向後端４３近傍に位置して案内凸部３５の軸方向後端４３に近接していてもよい。この場合、案内凸部３５の軸方向後端４３に対する係合ヘッド４０の軸方向前端４２の軸方向後方への離間寸法は、０．０１〜０．２ｍｍの範囲になる。
【００５２】
ストップリング１３は、金属材料または合成樹脂材料から作られ、略円筒状に成形されて軸方向へ延びている。ストップリング１３には、光ファイバ心線１１１が挿入されている。ストップリング１３の前端部には、光ファイバ心線１１１が露出する心線露出口４４が開口し、ストップリング１３の後端部には、光ファイバ心線１１１を挿入する心線挿入口４５が開口している。ストップリング１３の前端部の外周面（周面）には、横方向外方へ凸となる一対の嵌合凸部４６が形成されている。ストップリング１３の後端部の外周面（周面）には、周り方向へ凸となる嵌合リング４７が形成されている。嵌合リング４７は、カシメリング１５のカシメ部４８に固定されている。
【００５３】
ストップリング１３は、プラグフレーム１２のフェルール収容スペース３１に挿入される。ストップリング１３がプラグフレーム１２のフェルール収容スペース３１に挿入されると、ストップリング１３の嵌合凸部４６がプラグフレーム１２の両側壁２９，３０に穿孔された嵌合孔３４に嵌脱可能に嵌合し、ストップリング１３がプラグフレーム１２に連結される。
【００５４】
ばね１４は、フェルール１１とストップリング１３との間に設置され、心線カバー２３に挿通されて軸方向へ延びている。ばね１４は、その前端がスリーブ１８のフランジ２４に当接し、その後端がストップリング１３の前端に当接している。ばね１４は、フェルール１１を軸方向前方へ付勢する。
【００５５】
カシメリング１５は、金属材料または合成樹脂材料から作られ、略円筒状に成形されて軸方向へ延びている。カシメリング１５の前端部には、カシメ部４８が形成されている。ストップリング１３の嵌合リング４７がカシメリング１５の前端部に形成されたカシメ部４８に固定されることで、ストップリング１３がカシメリング１５に連結される。ブーツ１６は、金属材料または合成樹脂材料から作られ、略円筒状に成形されて軸方向へ延びている。ブーツ１６にはカシメリング１５が圧入され、ブーツ１６の内周面とカシメリング１５の前端部の外周面とが密着することで、カシメリング１５がブーツ１６に連結される。なお、光ファイバ心線１１１を包被する光ファイバコード４９がカシメリング１５に挿通されてカシメリング１５の後端から軸方向後方へ延出している。
【００５６】
図８は、光コネクタアダプタ５１に連結された状態で示す光コネクタプラグ１０Ａの側面図であり、図９は、光コネクタアダプタ５１に連結された状態で示す光コネクタプラグ１０Ａの正面図である。図１０は、図９のＣ−Ｃ線矢視断面図であり、図１１は、図９のＤ−Ｄ線矢視断面図である。図１２は、光コネクタアダプタ５１と光コネクタプラグ１０Ａとの連結を解除する場合の光コネクタプラグ１０Ａの側面図であり、図１３は、光コネクタアダプタ５１と光コネクタプラグ１０Ａとの連結中にプラグフレーム１２が案内凸部３５の縦方向上方へ撓った状態で示す光コネクタプラグ１０Ａの正面図である。図１４は、光コネクタアダプタ５１と光コネクタプラグ１０Ａとの連結中にプラグフレーム１２が案内凸部３５の縦方向上方へ撓った状態で示す光コネクタプラグ１０Ａの側面図である。図１２，１４では、光コネクタアダプタ５１の図示を省略している。
【００５７】
光コネクタプラグ１０Ａを光コネクタアダプタ５１に連結するには、プラグフレーム１２を摘持し、プラグフレーム１２の案内凸部３５を光コネクタアダプタ５１の案内レール１１２に対向させ、プラグフレーム１２を光コネクタアダプタ５１の挿入開口から光コネクタアダプタ５１の内部に挿入する。プラグフレーム１２を光コネクタアダプタ５１に挿入しつつ、プラグフレーム１２を軸方向前方へ移動させると、係合ラッチ３７のアーム３９が光コネクタアダプタ５１の内部に次第に進入し、光コネクタアダプタ５１の頂壁１１３によって係合ラッチ３７の係合ヘッド４０が縦方向下方へ押圧され、係合ラッチ３７のアーム３９が縦方向下方へ弾性変形して係合ヘッド４０が縦方向下方へ押し下げられる。
【００５８】
プラグフレーム１２をさらに軸方向前方へ移動させ、係合ヘッド４０が光コネクタアダプタ５１の係止部５２に移動すると、図１０に示すように、アーム３９が縦方向上方へ弾性変形して係合ヘッド４０の係合凸部４１が光コネクタアダプタ５１の係止部５２に係合し、光コネクタプラグ１０Ａが光コネクタアダプタ５１に連結される。係合ヘッド４０の係合凸部４１が光コネクタアダプタ５１の係止部５２に係合することで、プラグフレーム１２の光コネクタアダプタ５１に対する挿入状態が維持される。
【００５９】
光コネクタプラグ１０Ａに荷重が作用していない通常の状態において光コネクタアダプタ１０Ａと光コネクタプラグ５１との連結を解除するには、係合ラッチ３７のアーム３９を縦方向下方へ押圧し、図１２に示すように、アーム３９を縦方向下方へ旋回させて係合ラッチ３７の係合ヘッド４０を光コネクタアダプタ５１の係止部５２の下方へ移動させ、係合ヘッド４０と光コネクタアダプタ５１の係止部５２との係合を解除する。この状態でプラグフレーム１２を軸方向後方へ引っ張ってプラグフレーム１２を光コネクタアダプタ５１から引き抜く。
【００６０】
光コネクタプラグ１０Ａが光コネクタアダプタ５１に連結された状態で、ブーツ１６から軸方向後方へ延びる光ファイバコード４９が軸方向後方へ強く引っ張られるとともに、光ファイバコード４９が縦方向上方へ引き上げられてプラグフレーム１２に所定の荷重がかかると、図１３，１４に示すように、プラグフレーム１２が案内凸部３５の縦方向上方へ撓る場合がある。また、光コネクタプラグ１０Ａが光コネクタアダプタ５１に連結された状態で、光ファイバコード４９が軸方向後方へ強く引っ張られるとともに、光ファイバコード４９が円弧を画くように回転させられてプラグフレーム１２に所定の荷重がかかると、プラグフレーム１２が案内凸部３５の縦方向上方へ撓る場合がある。
【００６１】
光コネクタプラグ１０Ａでは、プラグフレーム１２に所定の荷重がかかり、プラグフレーム１２が案内凸部３５の縦方向上方へ撓った場合、係合ラッチ３７のアーム３９が撓ることなく係合ラッチ３７の係合ヘッド４０と案内凸部３５との距離（離間寸法）が縮まり、図１４に示すように、係合ヘッド４０の軸方向前端４２が案内凸部３５の平坦に延びる所定面積の頂面３６の軸方向後端４３に接触（当接）し、係合ヘッド４０の軸方向前端４２が案内凸部３５の頂面３６の軸方向後端４３に支持される。光コネクタプラグ１０Ａは、プラグフレーム１２が案内凸部３５の縦方向上方へ撓ったときに、係合ヘッド４０の軸方向前端４２が案内凸部３５の軸方向後端４３に支持されることで、案内凸部３５の縦方向下方への係合ヘッド４０の移動が阻止される。
【００６２】
一例として示す図５９の光コネクタプラグ１０Ｄのように、係合ヘッド４０の軸方向前端４２が案内凸部３５の軸方向後端４３の近傍に位置せず、軸方向前端４２が案内凸部３５の軸方向後端４３に近接しない場合、プラグフレーム１２が案内凸部３５の縦方向上方へ撓ったときに、係合ラッチ３７の係合ヘッド４０の軸方向前端４２が案内凸部３５の軸方向後端４３に支持されることなく、図６０に示すように、係合ヘッド４０が案内凸部３５の縦方向下方へ移動（おじぎ）する。係合ヘッド４０が案内凸部３５の縦方向下方へ移動すると、係合ヘッド４０の係合凸部４１が光コネクタアダプタ５１の係止部５２の下方へ移動し、係合凸部４１が係止部５２から外れ、光コネクタプラグ１０Ｄと光コネクタアダプタ５１との連結が解除される場合がある。
【００６３】
しかし、光コネクタプラグ１０Ａは、係合ヘッド４０の軸方向前端４２が案内凸部３５の軸方向後端４３から軸方向後方へ離間しつつ案内凸部３５の軸方向後端４３に近接し、係合ヘッド４０の軸方向前端４２が案内凸部３５の軸方向後端４３の縦方向上方へ離間しつつ案内凸部３５の軸方向後端４３に近接することで、プラグフレーム１２が案内凸部３５の縦方向上方へ撓ったときに係合ヘッド４０の軸方向前端４２と案内凸部３５の軸方向後端４３との距離が縮まり、係合ヘッド４０の軸方向前端４２が案内凸部３５の平坦に延びる所定面積の頂面３６の軸方向後端４３に接触（当接）し、係合ヘッド４０の軸方向前端４２が案内凸部３５の頂面３６の軸方向後端４３に支持されるから、案内凸部３５から縦方向下方への係合ヘッド４０の移動（おじぎ）を阻止することができ、係合ヘッド４０の係合凸部４１と光コネクタアダプタ５１の係止部５２との係合が不用意に解除されることはなく、光コネクタプラグ１０Ａと光コネクタアダプタ５１との光接続状態を維持することができる。
【００６４】
光コネクタプラグ１０Ａは、その使用中にプラグフレーム１２に所定の荷重がかかったとしても、係合ラッチ３７の係合ヘッド４０の係合凸部４１と光コネクタアダプタ５１の係止部５２との係合が不用意に解除される通信遮断事故を防ぐことができる。
【００６５】
案内凸部３５の軸方向後端４３に対する係合ヘッド４０の軸方向前端４２の軸方向後方への離間寸法が０．０１ｍｍ未満であり、案内凸部３５の軸方向後端４３に対する係合ヘッド４０の軸方向前端４２の縦方向上方への離間寸法が０．０１ｍｍ未満では、光コネクタアダプタ１０Ａに荷重が作用していない通常の状態（プラグフレーム１２の撓りがない通常の状態）においてプラグフレーム１２を光コネクタアダプタ５１から引き抜く場合、係合ラッチ３７のアーム３９を縦方向下方へ旋回させたときに係合ラッチ３７の係合ヘッド４０の軸方向前端４２が案内凸部３５の頂面３６の軸方向後端４３に接触（当接）し、係合ヘッド４０の係合凸部４１を光コネクタアダプタ５１の係止部５２の下方へ移動させることができない場合があり、係合ヘッド４０の係合凸部４１と光コネクタアダプタ５１の係止部５２との係合を解除することができない場合がある。
【００６６】
案内凸部３５の軸方向後端４３に対する係合ヘッド４０の軸方向前端４２の軸方向後方への離間寸法が０．２ｍｍを超過し、案内凸部３５の軸方向後端４３に対する係合ヘッド４０の軸方向前端４２の縦方向上方への離間寸法が０．４ｍｍを超過すると、プラグフレーム１２が案内凸部３５の縦方向上方へ撓ったときに、係合ヘッド４０の軸方向前端４２が案内凸部３５の頂面３６の軸方向後端４３に接触（当接）せず、案内凸部３５の頂面３６の軸方向後端４３によって係合ヘッド４０の軸方向前端４２を支持することができない場合があり、案内凸部３５から縦方向下方への係合ヘッド４０の移動を阻止することができず、係合ヘッド４０の係合凸部４１と光コネクタアダプタ５１の係止部５２との係合が解除されてしまう場合がある。
【００６７】
光コネクタプラグ１０Ａは、案内凸部３５の軸方向後端４３に対する係合ヘッド４０の軸方向前端４２の軸方向後方への離間寸法が０．０１〜０．２ｍｍの範囲にあり、案内凸部３５の軸方向後端４３に対する係合ヘッド４０の軸方向前端４２の縦方向上方への離間寸法が０．０１〜０．４ｍｍの範囲にあるから、光コネクタアダプタ１０Ａに荷重が作用していない通常の状態（プラグフレーム１２の撓りがない通常の状態）において、係合ヘッド４０の係合凸部４１を光コネクタアダプタ５１の係止部５２の下方へ移動させることができ、係合ヘッド４０の係合凸部４１と光コネクタアダプタ５１の係止部５２との係合を確実に解除することができるとともに、プラグフレーム１２が案内凸部３５の縦方向上方へ撓ったときに、係合ヘッド４０の軸方向前端４２が案内凸部３５の頂面３６の軸方向後端４３に確実に支持され、案内凸部３５から縦方向下方への係合ヘッド４０の移動を阻止することができ、係合ヘッド４０の係合凸部４１と光コネクタアダプタ５１の係止部５２との係合が不用意に解除されることはなく、光コネクタプラグ１０Ａと光コネクタアダプタ５１との光接続状態を確実に維持することができる。
【００６８】
図１５は、他の一例として示す光コネクタプラグ１０Ｂの斜視図であり、図１６は、光コネクタプラグ１０Ｂの側面図である。図１７は、光コネクタプラグ１０Ｂの上面図であり、図１８は、光コネクタプラグ１０Ｂの正面図である。図１９は、光コネクタプラグ１０Ｂの分解斜視図であり、図２０は、図１８のＥ−Ｅ線矢視断面図であり、図２１は、図１８のＦ−Ｆ線矢視断面図である。図１５〜図１７では、軸方向を矢印Ｗ、縦方向を矢印Ｘで示し、横方向を矢印Ｙで示す。
【００６９】
光コネクタプラグ１０Ｂは、光コネクタアダプタ５１（図２２参照）に取り付けることで光ファイバどうしの光接続に使用される。光コネクタプラグ１０Ｂは、軸方向へ延びるフェルール１１と、フェルール１１を収容するプラグフレーム１２と、プラグフレーム１２に係入するストップリング１３と、ばね１４（コイルスプリング）と、ケーシング５３およびスライダー５４と、カシメリング１５およびブーツ１６とから形成されている。図５の分解斜視図では、軸方向前方から後方に向かってプラグフレーム１２、フェルール１１、ばね１４、ストップリング１３、ケーシング５３、スライダー５４、カシメリング１５、ブーツ１６の順に並んでいる。
【００７０】
フェルール１１は、図１の光コネクタプラグ１０Ａのそれと同一であり、軸方向へ延びるキャピラリ１７と、軸方向へ延びる円筒状に成形されたスリーブ１８とから形成されている。キャピラリ１７には、少なくとも１本の光ファイバ１９が保持されている。キャピラリ１７やスリーブ１８は、図１の光コネクタプラグ１０Ａのそれらと同一である。
【００７１】
プラグフレーム１２は、合成樹脂材料から作られ、中空の略四角柱状に成形されている。プラグフレーム１２は、上下方向へ離間対向して軸方向へ延びる頂壁２７および底壁２８と、横方向へ離間対向して軸方向へ延びる両側壁２９，３０とを有する。プラグフレーム１２には、それら壁２７〜３０に囲繞されて軸方向へ延びるフェルール収容スペース３１が画成され、キャピラリ１７の先端部が露出する前端露出口３２が開口しているとともに、フェルール１１を挿入する後端挿入口３３が開口している。
【００７２】
プラグフレーム１２の前端露出口３２の軸方向後方には、フェルール収容スペース３１の内周面から径方向内方へ当接部５０が延びている。当接部５０には、スリーブ１８のフランジ２４が当接する。スリーブ１８のフランジ２４が当接部５０に当接することで、プラグフレーム１２に対するスリーブ１８の軸方向前方へのそれ以上の移動が阻止される。プラグフレーム１２の軸方向中央における両側壁２９，３０には、横方向へ開口する嵌合孔３４が穿孔されている。プラグフレーム１２の軸方向前方における頂壁２７には、頂壁２７から縦方向上方へ凸となって軸方向へ延びる案内凸部３５（凸部）が形成されている。案内凸部３５は、平坦に延びる所定面積の頂面３６を有する。
【００７３】
ストップリング１３は、図１の光コネクタプラグ１０Ａのそれと同一であり、プラグフレーム１２のフェルール収容スペース３１に挿入される。ストップリング１３がプラグフレーム１２のフェルール収容スペース３１に挿入されると、ストップリング１３の嵌合凸部４６がプラグフレーム１２の両側壁２９，３０に穿孔された嵌合孔３４に嵌脱可能に嵌合し、ストップリング１３がプラグフレーム１２に連結される。ばね１４は、図１の光コネクタプラグ１０Ａのそれと同一であり、フェルール１１を軸方向前方へ付勢する。
【００７４】
ケーシング５３は、合成樹脂材料から作られ、上下方向へ離間対向して軸方向へ延びる頂壁５５および底壁５６と、横方向へ離間対向して軸方向へ延びる両側壁５７，５８と、両側壁５７，５８から上方に位置して軸方向へ延びる案内壁５９とを有する。ケーシング５３には、その前端に開口する前端開口６０と、その後端に開口する後端開口６１と、前端開口６０と後端開口６１との間に延びるプラグフレーム収容部６２とが画成されている。ケーシング５３の頂壁５５には、係合ラッチ３７が形成されている。ケーシング５３のプラグフレーム収容部６２にはプラグフレーム１２の後端部が圧入され、プラグフレーム１２がケーシング５３に連結されている。
【００７５】
係合ラッチ３７は、ケーシング５３と一体成形され、ケーシング５３の頂壁５５の軸方向後方に位置して頂壁５５につながるベース３８と、ベース３８につながるアーム３９と、アーム３９の軸方向前方に位置する係合ヘッド４０とを有する。アーム３９は、ケーシング５３の頂壁５５から縦方向上方へ離間し、頂壁５５の軸方向後方につながるベース３８（プラグフレーム１２の軸方向後方）から案内凸部３５に向かって軸方向前方へ延びている。アーム３９は、可撓性を有し、縦方向へ弾性変形可能（旋回可能）である。
【００７６】
係合ヘッド４０は、横方向外方へ張り出す一対の係合凸部４１を有する。係合凸部４１は、プラグフレーム１２を光コネクタアダプタ５１に挿入したときに光コネクタアダプタ５１の係止部５２に係脱可能に係合する。係合ヘッド４０は、係合凸部４１を除く横方向の寸法がアーム３９のそれよりも大きく、案内凸部３５の頂面３６の横方向の寸法と略同一である。係合ヘッド４０は、アーム３９の縦方向への弾性変形にともなって縦方向へ揺動する。
【００７７】
係合ヘッド４０の軸方向前端４２は、図１５に示すように、案内凸部３５の軸方向後端４３から軸方向後方へわずかに離間しつつ、案内凸部３５の軸方向後端４３の縦方向上方へわずかに離間し、案内凸部３５の軸方向後端４３近傍に位置して案内凸部３５の軸方向後端４３に近接している。案内凸部３５の軸方向後端４３に対する係合ヘッド４０の軸方向前端４２の軸方向後方への離間寸法は、０．０１〜０．２ｍｍの範囲にある。案内凸部３５の軸方向後端４３に対する係合ヘッド４０の軸方向前端４２の縦方向上方への離間寸法は、０．０１〜０．４ｍｍの範囲にある。
【００７８】
なお、光コネクタプラグ１０Ｂでは、係合ヘッド４０の軸方向前端４２が案内凸部３５の軸方向後端４３の縦方向上方へ離間することなく、係合ヘッド４０の軸方向前端４２が案内凸部３５の軸方向後端４３から軸方向後方へわずかに離間し、軸方向前端４２が案内凸部３５の軸方向後端４３近傍に位置して案内凸部３５の軸方向後端４３に近接していてもよい。この場合、案内凸部３５の軸方向後端４３に対する係合ヘッド４０の軸方向前端４２の軸方向後方への離間寸法は、０．０１〜０．２ｍｍの範囲になる。
【００７９】
スライダー５４は、合成樹脂材料から作られ、ケーシング５３に連結されるボックス６３と、ボックス６３の頂部から軸方向前方に延びる摺動頂壁６４（摺動プレート）と、摺動頂壁６４の両側から縦方向下方へ延出しつつ軸方向へ延びる案内プレート６５（案内壁）とを有する。摺動頂壁６４の先端部の下面には、斜面６６が形成されている。
【００８０】
スライダー５４は、その案内プレート６５がケーシング５３の案内壁５９に摺動可能に嵌合し、そのボックス６３がケーシング５３の軸方向後方に位置した状態でケーシング５３に対して軸方向へスライド可能に連結されている。スライダー５４がケーシング５３に連結された状態では、スライダー５４の摺動頂壁６４の斜面６６が係合ラッチ３７のアーム３９の上面に当接している。スライダー５４は、係合ラッチ３７のアーム３９の上面を軸方向前方と後方とへ摺動する。ケーシング５３に対してスライダー５４を軸方向後方へスライドさせると、スライダー５４の摺動頂壁６４の斜面６６が係合ラッチ３７のアーム３９を縦方向下方へ押圧し、斜面６６が係合ラッチ３７を縦方向下方へ押し下げる。
【００８１】
カシメリング１５は、図１の光コネクタプラグ１０Ａのそれと同一であり、ストップリング１３の嵌合リング４７がカシメリング１５の前端部に形成されたカシメ部４８に固定されることで、ストップリング１３がカシメリング１５に連結される。ブーツ１６は、図１の光コネクタプラグ１０Ａのそれと同一であり、ブーツ１６の内周面とカシメリング１５の前端部の外周面とが密着することで、カシメリング１５がブーツ１６に連結される。光ファイバ心線１１１を包被する光ファイバコード４９がカシメリング１５に挿通されてカシメリング１５の後端から軸方向後方へ延出している。
【００８２】
図２２は、光コネクタアダプタ５１に連結された状態で示す光コネクタプラグ１０Ｂの側面図であり、図２３は、光コネクタアダプタ５１に連結された状態で示す光コネクタプラグ１０Ｂの正面図である。図２４は、図２３のＧ−Ｇ線矢視断面図であり、図２５は、図２３のＨ−Ｈ線矢視断面図である。図２６は、光コネクタアダプタ５１と光コネクタプラグ１０Ｂとの連結を解除する場合の光コネクタプラグ１０Ｂの側面図であり、図２７は、光コネクタアダプタ５１と光コネクタプラグ１０Ｂとの連結中にプラグフレーム１２が案内凸部３５の縦方向上方へ撓った状態で示す光コネクタプラグ１０Ｂの正面図である。図２８は、光コネクタアダプタ５１と光コネクタプラグ１０Ｂとの連結中にプラグフレーム１２が案内凸部３５の縦方向上方へ撓った状態で示す光コネクタプラグ１０Ｂの側面図である。図２６，２８では、光コネクタアダプタ５１の図示を省略している。
【００８３】
光コネクタプラグ１０Ｂを光コネクタアダプタ５１に連結するには、ケーシング５３やスライダー５４を摘持し、プラグフレーム１２の案内凸部３５を光コネクタアダプタ５１の案内レール１１２に対向させ、プラグフレーム１２を光コネクタアダプタ５１の挿入開口から光コネクタアダプタ５１の内部に挿入する。プラグフレーム１２を光コネクタアダプタ５１の内部に挿入しつつ、プラグフレーム１２を軸方向前方へ移動させると、係合ラッチ３７のアーム３９が光コネクタアダプタ５１の内部に次第に進入し、光コネクタアダプタ５１の頂壁１１３によって係合ラッチ３７の係合ヘッド４０が縦方向下方へ押圧され、係合ラッチ３７のアーム３９が縦方向下方へ弾性変形して係合ヘッド４０が縦方向下方へ押し下げられる。
【００８４】
プラグフレーム１２をさらに軸方向前方へ移動させ、係合ラッチ３７の係合ヘッド４０が光コネクタアダプタ５１の係止部５２に移動すると、図２４に示すように、アーム３９が縦方向上方へ弾性変形して係合ヘッド４０の係合凸部４１が光コネクタアダプタ５１の係止部５２に係合し、光コネクタプラグ１０Ｂが光コネクタアダプタ５１に連結される。係合ヘッド４０の係合凸部４１が光コネクタアダプタ５１の係止部５２に係合することで、プラグフレーム１２の光コネクタアダプタ５１に対する挿入状態が維持される。
【００８５】
光コネクタプラグ１０Ｂに荷重が作用していない通常の状態において光コネクタアダプタ５１と光コネクタプラグ１０Ｂとの連結を解除するには、スライダー５４の摺動頂壁６４を押し下げるように力を加え、スライダー５４を軸方向後方へ移動させる。スライダー５４が軸方向後方へ移動すると、図２６に示すように、スライダー５４の摺動頂壁６４の斜面６６が係合ラッチ３７のアーム３９を縦方向下方へ押圧してアーム３９が縦方向下方へ弾性変形し、それによって係合ラッチ３７の係合ヘッド４０が縦方向下方へ移動する。係合ヘッド４０が縦方向下方へ移動することで、係合ヘッド４０の係合凸部４１と光コネクタアダプタ５１の係止部５２との係合が解除され、その状態でプラグフレーム１２を軸方向後方へ引っ張ってプラグフレーム１２を光コネクタアダプタ５１から引き抜く。
【００８６】
光コネクタプラグ１０Ｂが光コネクタアダプタ５１に連結された状態で、ブーツ１６から軸方向後方へ延びる光ファイバコード４９が軸方向後方へ強く引っ張られるとともに、光ファイバコード４９が縦方向上方へ引き上げられてプラグフレーム１２に所定の荷重がかかると、図２７，２８に示すように、プラグフレーム１２が案内凸部３５の縦方向上方へ撓る場合がある。また、光コネクタプラグ１０Ｂが光コネクタアダプタ５１に連結された状態で、光ファイバコード４９が軸方向後方へ強く引っ張られるとともに、光ファイバコード４９が円弧を画くように回転させられてプラグフレーム１２に所定の荷重がかかると、プラグフレーム１２が案内凸部３５の縦方向上方へ撓る場合がある。
【００８７】
光コネクタプラグ１０Ｂでは、プラグフレーム１２に所定の荷重がかかり、プラグフレーム１２が案内凸部３５の縦方向上方へ撓った場合、係合ラッチ３７のアーム３９が撓ることなく係合ラッチ３７の係合ヘッド４０と案内凸部３５との距離（離間寸法）が縮まり、図２８に示すように、係合ヘッド４０の軸方向前端４２が案内凸部３５の平坦に延びる所定面積の頂面３６の軸方向後端４３に接触（当接）し、係合ヘッド４０の軸方向前端４２が案内凸部３５の頂面３６の軸方向後端４３に支持される。光コネクタプラグ１０Ｂは、プラグフレーム１２が案内凸部３５の縦方向上方へ撓ったときに、係合ヘッド４０の軸方向前端４２が案内凸部３５の軸方向後端４３に支持されることで、案内凸部３５の縦方向下方への係合ヘッド４０の移動が阻止される。
【００８８】
プラグフレーム１２が案内凸部３５の縦方向上方へ撓ったときに、係合ラッチ３７の係合ヘッド４０の軸方向前端４２が案内凸部３５の軸方向後端４３に支持されることなく係合ヘッド４０が案内凸部３５の縦方向下方へ移動（おじぎ）すると、係合ヘッド４０の係合凸部４１が光コネクタアダプタ５１の係止部５２から外れ、光コネクタプラグ１０Ｂと光コネクタアダプタ５１との連結が解除される場合があるが、光コネクタプラグ１０Ｂは、係合ヘッド４０の軸方向前端４２が案内凸部３５の軸方向後端４３から軸方向後方へ離間しつつ案内凸部３５の軸方向後端４３に近接し、係合ヘッド４０の軸方向前端４２が案内凸部３５の軸方向後端４３の縦方向上方へ離間しつつ案内凸部３５の軸方向後端４３に近接することで、プラグフレーム１２が案内凸部３５の縦方向上方へ撓ったときに係合ヘッド４０の軸方向前端４２と案内凸部３５の軸方向後端４３との距離が縮まり、係合ヘッド４０の軸方向前端４２が案内凸部３５の平坦に延びる所定面積の頂面３６の軸方向後端４３に接触（当接）し、係合ヘッド４０の軸方向前端４２が案内凸部３５の頂面３６の軸方向後端４３に支持されるから、案内凸部３５から縦方向下方への係合ヘッド４０の移動（おじぎ）を阻止することができ、係合ヘッド４０の係合凸部４１と光コネクタアダプタ５１の係止部５２との係合が不用意に解除されることはなく、光コネクタプラグ１０Ｂと光コネクタアダプタ５１との光接続状態を維持することができる。
【００８９】
光コネクタプラグ１０Ｂは、その使用中にプラグフレーム１２に所定の荷重がかかったとしても、係合ラッチ３７の係合ヘッド４０の係合凸部４１と光コネクタアダプタ５１の係止部５２との係合が不用意に解除される事故を防ぐことができ、光コネクタプラグ１０Ｂと光コネクタアダプタ５１との連結が不用意に解除された場合の光コネクタプラグ１０Ｂと光コネクタアダプタ５１とを再連結する労力を省くことができる。
【００９０】
案内凸部３５の軸方向後端４３に対する係合ヘッド４０の軸方向前端４２の軸方向後方への離間寸法が０．０１ｍｍ未満であり、案内凸部３５の軸方向後端４３に対する係合ヘッド４０の軸方向前端４２の縦方向上方への離間寸法が０．０１ｍｍ未満では、光コネクタアダプタ１０Ｂに荷重が作用していない通常の状態（プラグフレーム１２の撓りがない通常の状態）においてプラグフレーム１２を光コネクタアダプタ５１から引き抜く場合、係合ラッチ３７のアーム３９を縦方向下方へ旋回させたときに係合ラッチ３７の係合ヘッド４０の軸方向前端４２が案内凸部３５に頂面３６の軸方向後端４３に接触（当接）し、係合ヘッド４０の係合凸部４１を光コネクタアダプタ５１の係止部５２の縦方向下方へ移動させることができない場合があり、係合ヘッド４０と光コネクタアダプタ５１の係止部５２との係合を解除することができない場合がある。
【００９１】
案内凸部３５の軸方向後端４３に対する係合ヘッド４０の軸方向前端４２の軸方向後方への離間寸法が０．２ｍｍを超過し、案内凸部３５の軸方向後端４３に対する係合ヘッド３５の軸方向前端４２の縦方向上方への離間寸法が０．０１〜０．４ｍｍを超過すると、プラグフレーム１２が案内凸部３５の縦方向上方へ撓ったときに、係合ヘッド４０の軸方向前端４２が案内凸部３５の頂面３６の軸方向後端４３に接触（当接）せず、案内凸部３５の頂面３６の軸方向後端４３によって係合ヘッド４０の軸方向前端４２を支持することができない場合があり、案内凸部３５から縦方向下方への係合ヘッド４０の移動を阻止することができず、係合ヘッドの係合凸部４１と光コネクタアダプタ５１の係止部５２との係合が解除されてしまう場合がある。
【００９２】
光コネクタプラグ１０Ｂは、案内凸部３５の軸方向後端４３に対する係合ヘッド４０の軸方向前端４２の軸方向後方への離間寸法が前記範囲にあり、案内凸部３５の軸方向後端４３に対する係合ヘッド４０の軸方向前端４２の縦方向上方への離間寸法が前記範囲にあるから、光コネクタアダプタ１０Ｂに荷重が作用していない通常の状態（プラグフレーム１２の撓りがない通常の状態）において、係合ヘッド４０の係合凸部４１を光コネクタアダプタ５１の係止部５２の下方へ移動させることができ、係合ヘッド４０と光コネクタアダプタ５１の係止部５２との係合を確実に解除することができるとともに、プラグフレーム１２が案内凸部３５の縦方向上方へ撓ったときに、係合ヘッド４０の軸方向前端４２が案内凸部３５の頂面３６の軸方向後端４３に確実に支持され、案内凸部３５から縦方向下方への係合ヘッド４０の移動を阻止することができ、係合ヘッド４０の係合凸部４１と光コネクタアダプタ５１の係止部５２との係合が不用意に解除されることはなく、光コネクタプラグ１０Ｂと光コネクタアダプタ５１との光接続状態を確実に維持することができる。
【００９３】
一例として示す二連式の光コネクタプラグ１０Ｃの斜視図である図２９等の添付の図面を参照し、本発明にかかる二連式の光コネクタプラグの詳細を説明すると、以下のとおりである。なお、図３０は、二連式の光コネクタプラグ１０Ｃの側面図であり、図３１は、二連式の光コネクタプラグ１０Ｃの上面図である。図３２は、二連式の光コネクタプラグ１０Ｃの正面図であり、図３３は、二連式の光コネクタプラグ１０Ｃの分解斜視図である。図３４は、図３２のＩ−Ｉ線矢視断面図であり、図３５は、図３２のＪ−Ｊ線矢視断面図である。図３６は、図３２のＫ−Ｋ線矢視断面図である。図２９〜図３１では、軸方向を矢印Ｗ、縦方向を矢印Ｘで示し、横方向を矢印Ｙ、周り方向を矢印Ｚで示す。
【００９４】
二連式の光コネクタプラグ１０Ｃは、光コネクタアダプタ５１（図５２参照）に取り付けることで光ファイバどうしの光接続に使用される。光コネクタプラグ１０Ｃは、第１光コネクタアセンブリ６７ａおよび第２光コネクタアセンブリ６７ｂと、第１歯車６８および第２歯車６９と、中間歯車７０と、第１ケーシング７１および第２ケーシング７２と、スライダー７３およびカシメリング１５と、ブーツ１６およびパイプ７４とから形成されている。図３３の分解斜視図では、軸方向前方から後方に向かって第１および第２光コネクタアセンブリ６７ａ，６７ｂ、第１ケーシング７１、パイプ７４、第２ケーシング７２、スライダー７３、カシメリング１５、ブーツ１６の順に並んでいる。
【００９５】
第１光コネクタアセンブリ６７ａは、軸方向へ延びる第１フェルール１１ａと、第１フェルール１１ａを収容する第１プラグフレーム１２ａと、第１プラグフレーム１２ａに係入する第１ストップリング１３ａと、第１ばね１４ａ（コイルスプリング）とを有する。第１フェルール１１ａは、軸方向へ延びる第１キャピラリ１７ａと、軸方向へ延びる円筒状に成形された第１スリーブ１８ａとから形成されている。第１キャピラリ１７ａには、少なくとも１本の第１光ファイバ１９ａが保持されている。
【００９６】
第１キャピラリ１７ａは、軸方向へ長い略円柱状に成形され、その軸方向先端に第１光ファイバ１９ａの端面が露出する先端面２０を有するとともに、先端面２０の端面外径域に面取り部２１を有する。なお、面取り部２１の形状には、角面や丸面等の形状があるが、いずれの形状であってもよい。先端面２０は、径方向へ垂直に延びる垂直な面である。面取り部２１は、先端面２０から軸方向後方に向かうにつれて径方向外方へ次第に傾斜している。
【００９７】
第１キャピラリ１７ａは、ジルコニア等のセラミックス材料、プラスチック材料、結晶化ガラスやホウケイ酸ガラス、石英等のガラス材料等から作られている。なお、図示の第１キャピラリ１７ａには、ジルコニアから作られたジルコニアキャピラリが使用されている。第１キャピラリ１７ａの外径は、１．２４８５ｍｍ〜１．２４９５ｍｍである。第１キャピラリ１７ａ（第１フェルール１１ａ）の内部には、軸方向へ延びる第１光ファイバ挿入孔２２ａが穿孔されている。第１光ファイバ１９ａは、第１キャピラリ１７ａに穿孔された光ファイバ挿入孔２２ａに挿入されている。
【００９８】
第１スリーブ１８ａは、第１キャピラリ１７ａ（第１フェルール１１ａ）の軸方向後方に連結されている。第１スリーブ１８ａの軸方向後方には、第１光ファイバ１９ａの外周全域を被覆して軸方向へ延びる第１心線カバー２３ａ（ＰＴＦＥチューブ）が連結されている。第１スリーブ１８ａの前端には、その径が第１キャピラリ１７ａや第１心線カバー２３ａのそれよりも大きい多角筒状の第１フランジ２４ａが一体に成形されている。第１スリーブ１８ａや第１フランジ２４ａは、ステンレスや真鍮、鉄鋼等の金属材料、または、合成樹脂材料から作られている。第１スリーブ１８ａの内部には、第１キャピラリ１７ａを挿入保持するキャピラリ挿入孔２５と、第１光ファイバ１９ａを内蔵した第１光ファイバ心線１１１を挿入保持する心線挿入孔２６とが穿孔されている。
【００９９】
第１スリーブ１８ａのキャピラリ挿入孔２５には第１キャピラリ１７ａの後端部が挿入され、第１キャピラリ１７ａの後端部が第１スリーブ１８ａのキャピラリ挿入孔２５に固定保持されている。第１スリーブ１８ａの心線挿入孔２６には第１光ファイバ心線１１１の一端部が挿入され、第１光ファイバ心線１１１の一端部が第１スリーブ１８ａの心線挿入孔２６に固定保持されている。なお、第１スリーブ１８ａの軸方向の断面形状は図示の円筒状に限定されず、軸方向へ長い角筒状であってもよい。
【０１００】
第２光コネクタアセンブリ６７ｂは、第１光コネクタアセンブリ６７ａに隣接し、第１光コネクタアセンブリ６７ａに並行して軸方向へ延びている。第２光コネクタアセンブリ６７ｂは、軸方向へ延びる第２フェルール１１ｂと、第２フェルール１１ｂを収容する第２プラグフレーム１２ｂと、第２プラグフレーム１２ｂに係入する第２ストップリング１３ｂと、第２ばね１４ｂ（コイルスプリング）とを有する。第２フェルール１１ｂは、軸方向へ延びる第２キャピラリ１７ｂと、軸方向へ延びる円筒状に成形された第２スリーブ１８ｂとから形成されている。第２キャピラリ１７ｂには、少なくとも１本の第２光ファイバ１９ｂが保持されている。
【０１０１】
第２キャピラリ１７ｂは、第１キャピラリ１７ａの横方向に隣接し、第１キャピラリ１７ａに並行して軸方向へ延びている。第２キャピラリ１７ｂは、軸方向へ長い略円柱状に成形され、その軸方向先端に第２光ファイバ１９ｂの端面が露出する先端面２０を有するとともに、先端面２０の端面外径域に面取り部２１を有する。先端面２０は、径方向へ垂直に延びる垂直の面であり、面取り部２１の形状は、第１キャピラリ１７ａのそれと同一である。第２キャピラリ１７ｂ（第２フェルール１１ｂ）の内部には、軸方向へ延びる第２光ファイバ挿入孔２２ｂが穿孔されている。第２光ファイバ１９ｂは、第２キャピラリ１７ｂに穿孔された光ファイバ挿入孔２２ｂに挿入されている。第２キャピラリ１７ｂの材質や外径は、第１キャピラリ１７ａのそれらと同一である。
【０１０２】
第２スリーブ１８ｂは、第２キャピラリ１７ｂ（第２フェルール１１ｂ）の軸方向後方に連結されている。第２スリーブ１８ｂの軸方向後方には、第２光ファイバ１９ｂの外周全域を被覆して軸方向へ延びる第２心線カバー２３ｂ（ＰＴＦＥチューブ）が連結されている。第２心線カバー２３ｂは、第１心線カバー２３ａの横方向に隣接し、第１心線カバー２３ａに並行して軸方向へ延びている。
【０１０３】
第２スリーブ１８ｂの前端には、その径が第２キャピラリ１７ｂや第２心線カバー２３ｂのそれよりも大きい多角筒状の第２フランジ２４ｂが一体に成形されている。第２フランジ２４ｂは、第１フランジ２４ａの横方向に隣接している。第２スリーブ１８ｂや第２フランジ２４ｂは、第１スリーブ１８ａや第１フランジ２４ａと同様に、ステンレスや真鍮、鉄鋼等の金属材料、または、合成樹脂材料から作られている。第２スリーブ１８ｂの内部には、第２キャピラリ１７ｂを挿入保持するキャピラリ挿入孔２５と、第２光ファイバ１９ｂを内蔵した第２光ファイバ心線１１１を挿入保持する心線挿入孔２６とが穿孔されている。
【０１０４】
第２スリーブ１８ｂのキャピラリ挿入孔２５には第２キャピラリ１７ｂの後端部が挿入され、第２キャピラリ１７ｂの後端部が第２スリーブ１８ｂのキャピラリ挿入孔２５に固定保持されている。第２スリーブ２１ｂの心線挿入孔２６には第２光ファイバ心線１１１の一端部が挿入され、第２光ファイバ心線１１１の一端部が第２スリーブ１８ｂの心線挿入孔２６に固定保持されている。なお、第２スリーブ１８ｂの軸方向の断面形状は図示の円筒状に限定されず、軸方向へ長い角筒状であってもよい。
【０１０５】
図３７は、第１および第２プラグフレーム１２ａ，１２ｂの斜視図であり、図３８は、図３７のＬ−Ｌ線矢視断面図である。図３９は、図３７のＭ−Ｍ線矢視断面図である。第１プラグフレーム１２ａは、合成樹脂材料から作られ、中空の略四角柱状に成形されている。第１プラグフレーム１０ａは、上下方向へ離間対向して軸方向へ延びる頂壁２７および底壁２８と、横方向へ離間対向して軸方向へ延びる両側壁２９，３０とを有する。
【０１０６】
第１プラグフレーム１２ａの軸方向前方における頂壁２７には、頂壁２７から縦方向上方へ凸となって軸方向へ延びる第１案内凸部３５ａ（第１凸部）が形成されている。第１プラグフレーム１２ａの軸方向後方における各壁３３〜３６には、第１ケーシング６７ａの後記する第１開口８６ａに形成された開口凸部８８が嵌入する嵌入凹部７５が形成されている。
【０１０７】
第１プラグフレーム１２ａには、それら壁２７〜３０に囲繞されて軸方向へ延びるフェルール収容スペース３１が画成され、第１キャピラリ１７ａの先端部が露出する前端露出口３２が開口しているとともに、第１フェルール１１ａを挿入する後端挿入口３３が開口している。第１プラグフレーム１２ａの前端露出口３２の軸方向後方には、フェルール収容スペース３１の内周面から径方向内方へ当接部５０が延びている。
【０１０８】
当接部５０には、第１スリーブ１８ａの第１フランジ２４ａが当接する。第１スリーブ１８ａの第１フランジ２４ａが当接部５０に当接することで、第１プラグフレーム１２ａに対する第１スリーブ１８ａの軸方向前方へのそれ以上の移動が阻止される。第１プラグフレーム１２ａの後端挿入口３３近傍のそれら壁２７〜３０には、それら壁２７〜３０の径方向外方へ凸となる当接フランジ７６が形成されている。当接フランジ７６は、第１ケーシング７１の第１開口８６ａの前端縁に摺動可能に当接する。
【０１０９】
第２プラグフレーム１２ｂは、第１プラグフレーム１２ａの横方向に隣接し、第１プラグフレーム１２ａに並行して軸方向へ延びている。第２プラグフレーム１２ｂは、第１プラグフレーム１２ａと同様に、合成樹脂材料から作られ、中空の略四角柱状に成形されている。第２プラグフレーム１２ｂは、上下方向へ離間対向して軸方向へ延びる頂壁２７および底壁２８と、横方向へ離間対向して軸方向へ延びる両側壁２９，３０とを有する。第２プラグフレーム１２ｂの軸方向前方における頂壁２７には、頂壁２７から縦方向上方へ凸となって軸方向へ延びる第２案内凸部３５ｂ（第２凸部）が形成されている。第２プラグフレーム１２ｂの軸方向後方における各壁２７〜３０には、第１ケーシング７１ｂの第２開口８６ｂに形成された開口凸部８８が嵌入する嵌入凹部７５が形成されている。
【０１１０】
第２プラグフレーム１２ｂには、それら壁２７〜３０に囲繞されて軸方向へ延びるフェルール収容スペース３１が画成され、第２キャピラリ１７ｂの先端部が露出する前端露出口３２が開口しているとともに、第２フェルール１１ｂを挿入する後端挿入口３３が開口している。第２プラグフレーム１２ｂの前端露出口３２の軸方向後方には、フェルール収容スペース３１の内周面から径方向内方へ当接部５０が延びている。
【０１１１】
当接部５０には、第２スリーブ１８ｂの第２フランジ２４ｂが当接する。第２スリーブ１８ｂの第２フランジ２４ｂが当接部５０に当接することで、第２プラグフレーム１２ｂに対する第２スリーブ１８ｂの軸方向前方へのそれ以上の移動が阻止される。第２プラグフレーム１２ｂの後端挿入口３３近傍のそれら壁２７〜３０には、それら壁２７〜３０の径方向外方へ凸となる当接フランジ７６が形成されている。当接フランジ７６は、第１ケーシング７１の第２開口８６ｂの前端縁に摺動可能に当接する。
【０１１２】
図４０は、第１および第２ストップリング１３ａ，１３ｂの斜視図であり、図４１は、他の方向から示す第１および第２ストップリング１３ａ，１３ｂの斜視図である。第１ストップリング１３ａは、金属材料または合成樹脂材料から作られ、略円筒状に成形されて軸方向へ延びている。第１ストップリング１３ａは、軸方向前方に位置する前端部７７（前端筒部）と、軸方向前方に位置する後端部７９（後端筒部）と、前端部７７および後端部７９の間に延びる中間部７８（中間筒部）とを有する。第１ストップリング１３ａの前端部７７には、第１光ファイバ心線１１１が露出する心線露出口４４が開口し、第１ストップリング１３ａの後端部７９には、第１光ファイバ心線１１１を挿入する心線挿入口４５が開口している。
【０１１３】
第１ストップリング１３ａは、その前端部７７と中間部７８とが第１プラグフレーム１２ａの後端挿入口３３から第１プラグフレーム１２ａの内部に圧入され、前端部７７および中間部７８の外周面が第１プラグフレーム１２ａの内周面に密着している。第１ストップリング１３ａは、第１プラグフレーム１２ａに抜脱不能に接続され、第１プラグフレーム１２ａの回転にともなって回転する。
【０１１４】
第１ばね１４ａは、第１フェルール１１ａと第１ストップリング１３ａとの間に設置され、第１心線カバー２３ａに挿通されて軸方向へ延びている。第１ばね１４ａは、その前端が第１スリーブ１８ａの第１フランジ２４ａに当接し、その後端が第１ストップリング１３ａの前端部７７に当接している。第１ばね１４ａは、第１フェルール１１ａを軸方向前方へ付勢する。第１歯車６８は、第１ストップリング１３ａの後端部７９に形成されて軸方向へ延びている。第１歯車６８には、その径方向外方へ凸となる当接凸部８０（回転規制手段）が形成されている。当接凸部８０は、第１歯車６８の歯よりも径方向外方へ突出している。
【０１１５】
第２ストップリング１３ｂは、第１ストップリング１３ａの横方向に隣接し、第１ストップリング１３ａに並行して軸方向へ延びている。第２ストップリング１３ｂは、第１ストップリング１３ａと同様に、金属材料または合成樹脂材料から作られ、略円筒状に成形されて軸方向へ延びている。第２ストップリング１３ｂは、軸方向前方に位置する前端部７７（前端筒部）と、軸方向前方に位置する後端部７９（後端筒部）と、前端部７７および後端部７９の間に延びる中間部７８（中間筒部）とを有する。第２ストップリング１３ｂの前端部７７には、第２光ファイバ心線１１１が露出する心線露出口４４が開口し、第２ストップリング１３ｂの後端部７９には、第２光ファイバ心線１１１を挿入する心線挿入口４５が開口している。
【０１１６】
第２ストップリング１３ｂは、その前端部７７と中間部７８とが第２プラグフレーム１２ｂの後端挿入口３３から第２プラグフレーム１２ｂの内部に圧入され、前端部７７および中間部７８の外周面が第２プラグフレーム１２ａの内周面に密着している。第２ストップリング１３ａは、第２プラグフレーム１２ｂに抜脱不能に接続され、第２プラグフレーム１２ｂの回転にともなって回転する。
【０１１７】
第２ばね１４ｂは、第２フェルール１１ｂと第２ストップリング１３ｂとの間に設置され、第２心線カバー２３ｂに挿通されて軸方向へ延びている。第２ばね１４ｂは、その前端が第２スリーブ１８ｂの第２フランジ２４ｂに当接し、その後端が第２ストップリング１３ｂの前端部７７に当接している。第２ばね１４ｂは、第２フェルール１１ｂを軸方向前方へ付勢する。第２歯車６９は、第２ストップリング１３ｂの後端部７９に形成されて軸方向へ延びている。第２歯車６９には、その径方向外方へ凸となる当接凸部８０（回転規制手段）が形成されている。当接凸部８０は、第２歯車６９の歯よりも径方向外方へ突出している。
【０１１８】
図４２は、中間歯車７０の斜視図である。中間歯車７０は、第１歯車６８と第２歯車６９との間に介在して軸方向へ延びている。中間歯車７０は、第１および第２歯車６８，６９に外接し、第１および第２歯車６８，６９のうちの一方の歯車の回転力を他方の歯車に伝達しつつ他方の歯車を一方の歯車と同一の方向へ回転させる。なお、第１歯車６８と第２歯車６９と中間歯車７０との歯車比は１である。したがって、第１歯車６８が時計回り方向へ１回転すると、中間歯車７０が反時計回り方向へ１回転するとともに、第２歯車６９が時計回り方向へ１回転する。逆に、第１歯車６８が反時計回り方向へ１回転すると、中間歯車７０が時計回り方向へ１回転するとともに、第２歯車６９が反時計回り方向へ１回転する。
【０１１９】
図４３は、２つに分離した状態で示す第１ケーシング７１の斜視図であり、図４４は、２つに分離した状態で示す第１ケーシング７１の内面図である。図４５は、第１ケーシング７１の頂壁８１の外面図である。なお、第１ケーシング７１の底壁８２の外面図は図４５と同一に表れる。第１ケーシング７１は、合成樹脂材料から作られて中空に成形されている。第１ケーシング７１は、上下方向へ離間対向して軸方向へ延びる頂壁８１および底壁８２と、横方向へ離間対向して軸方向へ延びる両側壁８３，８４と、仕切壁８５とを有し、その前端に開口して第１ストップリング１３ａを挿入する第１開口８６ａと、その前端に開口して第２ストップリング１３ｂを挿入する第２開口８６ｂとを有する。
【０１２０】
第１ケーシング７１の頂壁８１の略中央には、後記する第２ケーシング７２の頂壁９５の略中央に形成された係入凸部１０２や第２ケーシング７２の底壁９６の略中央に形成された係入凸部１０２が係入する係入凹部８７が形成されている。第１ケーシング７１の底壁８２の略中央には、第２ケーシング７２の頂壁９５の略中央に形成された係入凸部１０２や第２ケーシング７２の底壁９６の略中央に形成された係入凸部１０２が係入する係入凹部８７が形成されている（図４８参照）。
【０１２１】
第１ケーシング７１の第１開口８６ａには、第１開口８６ａの径方向内方へ凸となる開口凸部８８が形成され、第２開口８６ｂには、第２開口８６ｂの径方向内方へ凸となる開口凸部８８が形成されている。第１ケーシング７１の内部には、それら壁８１〜８４および仕切壁８５に囲繞された第１歯車収容部８９と、それら壁８１〜８４および仕切壁８５に囲繞された第２歯車収容部９０と、仕切壁８５に囲繞されて第１および第２歯車収容部８９，９０の間に位置する中間歯車収容部９１とが画成されている。
【０１２２】
第１歯車収容部８９には、第１ストップリング１３ａの後端部７９に形成された第１歯車６８が回転可能に収容されている。第２歯車収容部９０には、第２ストップリング１３ｂの後端部７９に形成された第２歯車６９が回転可能に収容されている。中間歯車収容部９１には、中間歯車７０が回転可能に収容されている。第１ケーシング７１では、第１および第２歯車６８，６９と中間歯車７０とが第１および第２歯車収容部８９，９０と中間歯車収容部９１とに収容されることで、それら歯車６８〜７０とが横方向に並びつつ、第１歯車６８と中間歯車７０とが外接し、第２歯車６９と中間歯車７０とが外接する。
【０１２３】
第１歯車収容部８９（第１ケーシング７１の内周面）には、第１歯車収容部８９の径方向内方へ凸となる回転規制凸部９２（回転角度規制手段）が形成されている。第１歯車６８に形成された当接凸部８０が第１歯車収容部８９の回転規制凸部９２に当接することで、第１ストップリング１３ａ（第１プラグフレーム１２ａ）の回転が阻止される。第２歯車収容部９０（第１ケーシング７１の内周面）には、第２歯車収容部９０の径方向内方へ凸となる回転規制凸部９２（回転角度規制手段）が形成されている。第２歯車６９に形成された当接凸部８０が第２歯車収容部９０の回転規制凸部９２に当接することで、第２ストップリング１３ｂ（第２プラグフレーム１２ｂ）の回転が阻止される。
【０１２４】
第１歯車収容部８９や第２歯車収容部９０に対する回転規制凸部９２の形成位置によって第１および第２光コネクタアセンブリ６７ａ，６７ｂ（第１および第２ストップリング１３ａ，１３ｂ）の回転角度が決まるが、光コネクタプラグ１０Ｃでは、第１および第２光コネクタアセンブリ６７ａ，６７ｂの回転始点から回転終点までの回転範囲が半回転（回転角度が１８０度）に規制されている。
【０１２５】
第１ケーシング７１は、上下方向へ２つに分離された各ケーシング７１を連結することで作られている。各ケーシング７１を連結すると、下方のケーシング７１に形成された嵌合爪９３が上方のケーシング７１に形成された嵌合孔９４に嵌合し、それらケーシング７１が一体になる。パイプ７４は、その前端部が第１ケーシング７１の後端部に嵌め込まれている。
【０１２６】
図４６は、第２ケーシング７２の上面図であり、図４７は、第２ケーシング７２の正面図である。図４８は、図４６のＮ−Ｎ線矢視断面図である。第２ケーシング７２は、合成樹脂材料から作られ、上下方向へ離間対向して軸方向へ延びる頂壁９５および底壁９６と、横方向へ離間対向して軸方向へ延びる両側壁９７，９８と、両側壁９７，９８から上方かつ軸方向へ延びる案内壁９９とを有する。
【０１２７】
第２ケーシング７２は、その前端に開口する前端開口１００と、その後端に開口する後端開口１０１と、その頂壁９５に位置する一対の第１および第２係合ラッチ３７ａ，３７ｂとを有する。第２ケーシング７２の頂壁９５の略中央には、その内周面から径方向内方へ凸となる係入凸部１０２が形成され、第２ケーシング７２の底壁９６の略中央には、その内周面から径方向内方へ凸となる係入凸部１０２が形成されている。第２ケーシング７２の頂壁９５の中央先端には、軸方向へ延びる係入キー１０３が形成されている。
【０１２８】
第１および第２係合ラッチ３７ａ，３７ｂは、第２ケーシング７２と一体成形され、横方向へ所定寸法離間し、互いに並行して軸方向へ直状に延びている。それら係合ラッチ３７ａ，３７ｂは、第２ケーシング７２の頂壁９５の軸方向中央に位置して頂壁９５につながるベース３８と、ベース３８につながるアーム３９と、アーム３９の軸方向前方に位置する係合ヘッド４０とを有する。アーム３９は、第２ケーシング７２の頂壁９５から縦方向上方へ離間し、頂壁９５の軸方向中央に取り付けられたベース３８（第１および第２プラグフレーム１２ａ，１２ｂの軸方向後方）から第１および第２案内凸部３５ａ，３５ｂに向かって軸方向前方へ延びている。アーム３９は、可撓性を有し、縦方向へ弾性変形可能（旋回可能）である。
【０１２９】
それら係合ヘッド４０は、横方向外方へ張り出す一対の係合凸部４１を有する。係合凸部４１は、プラグフレーム１２ａ，１２ｂを光コネクタアダプタ５１に挿入したときに光コネクタアダプタ５１の係止部５２に係脱可能に係合する。係合ヘッド４０は、係合凸部４１を除く横方向の寸法がアーム３９のそれよりも大きく、第１および第２案内凸部３５ａ，３５ｂの頂面３６の横方向の寸法と略同一である。係合ヘッド４０は、アーム３９の縦方向への弾性変形にともなって縦方向へ揺動する。
【０１３０】
第１係合ラッチ３７ａの係合ヘッド４０の軸方向前端４２は、図３０に示すように、第１案内凸部３５ａの軸方向後端４３から軸方向後方へわずかに離間しつつ、第１案内凸部３５ａの軸方向後端４３の縦方向上方へわずかに離間し、第１案内凸部３５ａの軸方向後端４３近傍に位置して案内凸部３５ａの軸方向後端４３に近接している。第２係合ラッチ３７ｂの係合ヘッド４０の軸方向前端４２は、第２案内凸部３５ｂの軸方向後端４３から軸方向後方へわずかに離間しつつ、第２案内凸部３５ｂの軸方向後端４３の縦方向上方へわずかに離間し、第２案内凸部３５ｂの軸方向後端４３近傍に位置して案内凸部３５ｂの軸方向後端４３に近接している。
【０１３１】
第１案内凸部３５ａの軸方向後端４３に対する第１係合ラッチ３７ａの係合ヘッド４０の軸方向前端４２の軸方向後方への離間寸法は、０．０１〜０．２ｍｍの範囲にある。第１案内凸部３５ａの軸方向後端４３に対する第１係合ラッチ３７ａの係合ヘッド４０の軸方向前端４２の縦方向上方への離間寸法は、０．０１〜０．４ｍｍの範囲にある。第２案内凸部３５ｂの軸方向後端４３に対する第２係合ラッチ３７ｂの係合ヘッド４０の軸方向前端４２の軸方向後方への離間寸法は、０．０１〜０．２ｍｍの範囲にある。第２案内凸部３５ｂの軸方向後端４３に対する第２係合ラッチ３７ｂの係合ヘッド４０の軸方向前端４２の縦方向上方への離間寸法は、０．０１〜０．４ｍｍの範囲にある。
【０１３２】
なお、光コネクタプラグ１０Ｃでは、第１係合ラッチ３７ａの係合ヘッド４０の軸方向前端４２が第１案内凸部３５ａの軸方向後端４３の縦方向上方へ離間することなく、第１係合ラッチ３７ａの係合ヘッド４０の軸方向前端４２が第１案内凸部３５ａの軸方向後端４３から軸方向後方へわずかに離間し、軸方向前端４２が第１案内凸部３５ａの軸方向後端４３近傍に位置して第１案内凸部３５ａの軸方向後端４３に近接していてもよい。この場合、第１案内凸部３５ａの軸方向後端４３に対する第１係合ラッチ３７ａの係合ヘッド４０の軸方向前端４２の軸方向後方への離間寸法は、０．０１〜０．２ｍｍの範囲になる。
【０１３３】
また、第２係合ラッチ３７ｂの係合ヘッド４０の軸方向前端４２が第２案内凸部３５ｂの軸方向後端４３の縦方向上方へ離間することなく、第２係合ラッチ３７ｂの係合ヘッド４０の軸方向前端４２が第２案内凸部３５ｂの軸方向後端４３から軸方向後方へわずかに離間し、軸方向前端４２が第２案内凸部３５ｂの軸方向後端４３近傍に位置して第２案内凸部３５ｂの軸方向後端４３に近接していてもよい。この場合、第２案内凸部３５ｂの軸方向後端４３に対する第２係合ラッチ３７ｂの係合ヘッド４０の軸方向前端４２の軸方向後方への離間寸法は、０．０１〜０．２ｍｍの範囲になる。
【０１３４】
第２ケーシング７２は、その頂壁９５に第１ケーシング７１の頂壁８１を対向させるとともに、その底壁９６に第１ケーシング７１の底壁８２を対向させた状態で、第１ケーシング７１を収容可能である。逆に、第２ケーシング７２は、その頂壁９５に第１ケーシング７１の底壁８２を対向させるとともに、その底壁９６に第１ケーシング７１の頂壁８１を対向させた状態で、第１ケーシング７１を収容可能である。第２ケーシング７２は、第１ケーシング７１を上下反転させた状態で収容することができる。
【０１３５】
図４９は、スライダー７３の斜視図であり、図５０は、スライダー７３の正面図である。図５１は、図４９のＯ−Ｏ線矢視断面図である。スライダー７３は、合成樹脂材料から作られ、第２ケーシング７３の後端部に連結されるボックス１０４と、ボックス１０４の頂部から軸方向前方に延びる摺動プレート１０５（摺動頂壁）と、摺動プレート１０５の両側から下方へ延出しつつ軸方向へ延びる案内プレート１０６（案内壁）とを有する。スライダー７３は、ボックス１０４の前端に開口する前端開口１０７と、ボックス１０４の後端に開口する後端開口１０８とを有する。摺動プレート１０５の先端部の下面両側には、斜面１０９が形成されている。摺動プレート１０５の先端部の下面中央には、第２ケーシング７２の頂壁９５の係入キー１０３が係入するキー係入部１１０が形成されている。
【０１３６】
スライダー７３は、第２ケーシング７２の軸方向後方に位置し、そのボックス１０４が第２ケーシング７２の後端部の軸方向後方に位置し、第２ケーシング７２に対して軸方向へスライド可能に連結されている。スライダー７３が第２ケーシング７２に連結された状態では、スライダー７３の案内プレート１０６が第２ケーシング７２の案内壁９９の内側に位置し、第２ケーシング７２の係入キー１０３がスライダー７３の摺動プレート１０６のキー係入部１１０に係入しているとともに、スライダー７３の摺動プレート１０６の斜面１０９が係合ラッチ３７ａ，３７ｂのアーム３９の上面に当接している。
【０１３７】
スライダー７３は、係合ラッチ３７ａ，３７ｂのアーム３９の上面を軸方向前方と軸方向後方とへ摺動する。第２ケーシング７２に対してスライダー７３を軸方向後方へスライドさせると、スライダー７３の摺動プレート１０５の斜面１０９が係合ラッチ３７ａ，３７ｂのアーム３９を縦方向下方へ押圧し、斜面１０９が係合ラッチ３７ａ，３７ｂの係合ヘッド４０を縦方向下方へ押し下げる。
【０１３８】
カシメリング１５は、第１ケーシング７１の後端部に嵌め込まれたパイプ７４の軸方向後方に位置し、その内周面がパイプ７４の外周面に密着するように、その前端部がパイプ７４の後端部に固定されているとともに、ブーツ１６の内部に挿入されている。ブーツ１６は、その前端部の内周面がカシメリング１５の前端部の外周面に密着し、パイプ７４およびカシメリング１５を介して第１ケーシング７１に連結されている。なお、第１光ファイバ１９ａを内蔵した第１光ファイバ心線１１１と第２光ファイバ１９ｂを内蔵した第２光ファイバ心線１１１とが第１ケーシング７１において１つに纏まって光ファイバコード４９となり、その光ファイバコード４９がカシメリング１５に挿通されてカシメリング１５の後端から軸方向後方へ延出している。
【０１３９】
光コネクタプラグ１０Ｃの第１および第２光コネクタアセンブリ６７ａ，６７ｂを回転させる手順は、以下のとおりである。第２ケーシング７２を支持しつつ第１ケーシング７１を軸方向前方へ押圧し、第１ケーシング７１の頂壁８１および底部８２に形成された係入凹部８７と第２ケーシング７２の頂壁９５および底壁９６に形成された係入凸部１０２との係合を解除し、第１ケーシング７１を第２ケーシング７２から軸方向前方へ引き出す。第１ケーシング７１を第２ケーシング７２から引き出した後、たとえば、第１光コネクタアセンブリ６７ａ（一方の光コネクタアセンブリ）を時計回り方向へ回転させる。
【０１４０】
光コネクタプラグ１０Ｃでは、第１光コネクタアセンブリ６７ａ（一方の光コネクタアセンブリ）がその軸を中心に時計回り方向へ回転すると、第１歯車６８（一方の歯車）が時計回り方向へ回転し、第１歯車６８の回転によって中間歯車７０が反時計回り方向へ回転する。中間歯車７０によって第１歯車６８の回転力（回転）が第２歯車６９（他方の歯車）に伝達され、第１歯車６８に連動して第２歯車６９がその軸を中心に第１歯車６８と同一の時計回り方向（同一方向）へ回転し、それによって第２光コネクタアセンブリ６７ｂが時計回り方向へ回転する。
【０１４１】
それら歯車６８〜７０の歯車比が１であるから、第１光コネクタアセンブリ６７ａを時計回り方向へ回転させたときに、第２光コネクタアセンブリ６７ｂ（他方の光コネクタアセンブリ）が第１光コネクタアセンブリ６７ａと同一の回転角度で時計回り方向へ回転する。光コネクタプラグ１０Ｃでは、それら歯車６８〜７０を利用することで、他方の光コネクタアセンブリ６７ａ，６７ｂを一方の光コネクタアセンブリ６７ａ，６７ｂと同一の方向へ同時に回転させることができる。また、それら歯車６８〜７０の歯車比が１であるから、第１及び第２光コネクタアセンブリ６７ａ，６７ｂの回転始点から回転終点までの回転範囲を同一にすることができ、一方の光コネクタアセンブリ６７ａ，６７ｂを回転させることで他方の光コネクタアセンブリ６７ａ，６７ｂを一方の光コネクタアセンブリ６７ａ，６７ｂと同一の位置まで回転させることができる。
【０１４２】
第１および第２光コネクタアセンブリ６７ａ，６７ｂを時計回り方向へ半回転（１８０度）回転（回転始点から回転終点まで半回転回転）させると、第１ケーシング７１の第１および第２歯車収容部８９，９０に形成された回転規制凸部９２（回転角度規制手段）に第１および第２歯車６８，６９に形成された当接凸部８０（回転角度規制手段）が当接し、第１および第２光コネクタアセンブリ６７ａ，６７ｂの時計回り方向への回転が停止する。
【０１４３】
第１および第２光コネクタアセンブリ６７ａ，６７ｂを時計回り方向へ半回転（１８０度）回転させた後、第２ケーシング７２（スライダー７３を含む）を時計回り方向（または、反時計回り方向）へ半回転（１８０度）回転させる。第２ケーシング７２を半回転（１８０度）回転させると、第２ケーシング７２の頂壁９５が第１ケーシング７１の底壁８２の側に位置し、第２ケーシング７２の底壁９６が第１ケーシング７１の頂壁８１の側に位置する。
【０１４４】
次に、第２ケーシング７２を第１ケーシング７１に向かって前後方向前方へ移動させ、第２ケーシング７２の頂壁９５に第１ケーシング７１ｂの底壁８２が対向するとともに、第２ケーシング７２の底壁９６に第１ケーシング７１の頂壁８１が対向するように、第１ケーシング７１を第２ケーシング７２の内部に収容（圧入）し、第２ケーシング７２の頂壁９５および底壁９６の係入凸部１０２を第１ケーシング７１の頂壁８１および底部８２の係入凹部８７に係入する。第１および第２光コネクタアセンブリ６７ａ，６７ｂを時計回り方向へ同時に半回転（１８０度）回転させることで、二連式の光コネクタプラグ１０Ｃの極性が変換される。
【０１４５】
二連式の光コネクタプラグ１０Ｃの極性を変換した後、係入凹部８７と係入凸部１０２との係合を解除し、第１ケーシング７１を第２ケーシング７２から軸方向前方へ引き出し、第２光コネクタアセンブリ６７ｂ（一方の光コネクタアセンブリ）を反時計回り方向へ回転させる。第２光コネクタアセンブリ６７ｂ（一方の光コネクタアセンブリ）がその軸を中心に反時計回り方向へ回転すると、第２歯車６９（一方の歯車）が反時計回り方向へ回転し、第２歯車６９の回転によって中間歯車７０が時計回り方向へ回転する。中間歯車７０によって第２歯車６９の回転力（回転）が第１歯車６８（他方の歯車）に伝達され、第２歯車６９に連動して第１歯車６８がその軸を中心に第２歯車６９と同一の反時計回り方向へ回転し、それによって第１光コネクタアセンブリ６７ａが反時計回り方向へ回転する。
【０１４６】
それら歯車６８〜７０の歯車比が１であるから、第２光コネクタアセンブリ６７ｂを反時計回り方向へ回転させたときに、第１光コネクタアセンブリ６７ａが第２光コネクタアセンブリ６７ｂと同一の回転角度で反時計回り方向へ回転する。第１および第２光コネクタアセンブリ６７ａ，６７ｂを反時計回り方向へ半回転（１８０度）回転（回転始点から回転終点まで半回転回転）させると、回転規制凸部９２（回転角度規制手段）に当接凸部８０（回転角度規制手段）が当接し、第１および第２光コネクタアセンブリ６７ａ，６７ｂの反時計回り方向への回転が停止する。
【０１４７】
第１および第２光コネクタアセンブリ６７ａ，６７ｂを反時計回り方向へ半回転（１８０度）回転させた後、第２ケーシング７２（スライダー７３を含む）を反時計回り方向（または、時計回り方向）へ半回転（１８０度）回転させる。第２ケーシング７２を半回転回転させると、第２ケーシング７２の頂壁９５が第１ケーシング７１の頂壁８１の側に位置し、第２ケーシング７２の底壁９６が第１ケーシング７１の底壁８２の側に位置する。
【０１４８】
次に、第２ケーシング７２を第１ケーシング７１に向かって前後方向前方へ移動させ、第２ケーシング７２の頂壁９５に第１ケーシング７１の頂壁８１が対向するとともに、第２ケーシング７２の底壁９６に第１ケーシング７１の底壁８２が対向するように、第１ケーシング７１を第２ケーシング７２の内部に収容（圧入）し、係入凸部１０２を係入凹部８７に係入する。第１および第２光コネクタアセンブリ６７ａ，６７ｂを反時計回り方向へ同時に半回転（１８０度）回転させることで、二連式の光コネクタプラグ１０Ｃの極性が変換される。
【０１４９】
第１および第２光コネクタアセンブリ６７ａ，６７ｂのうちの一方の光コネクタアセンブリ６７ａ，６７ｂをその軸を中心に回転始点から回転終点まで半回転（１８０度）回転させると、それに連動して他方の光コネクタアセンブリ６７ａ，６７ｂがその軸を中心に一方の光コネクタアセンブリ６７ａ，６７ｂと同一の方向へ回転始点から回転終点まで半回転（１８０度）回転することで、二連式の光コネクタプラグ１０Ｃの極性を変換可能である。
【０１５０】
図５２は、光コネクタアダプタ５１に連結された状態で示す光コネクタプラグ１０Ｃの側面図であり、図５３は、光コネクタアダプタ５１に連結された状態で示す光コネクタプラグ１０Ｃの正面図である。図５４は、図５３のＰ−Ｐ線矢視断面図であり、図５５は、図５３のＱ−Ｑ線矢視断面図である。図５６は、光コネクタアダプタ５１と光コネクタプラグ１０Ｃとの連結を解除する場合の光コネクタプラグ１０Ｃの側面図であり、図５７は、光コネクタアダプタ５１と光コネクタプラグ１０Ｃとの連結中にプラグフレーム１２ａ，１２ｂが第１および第２案内凸部３５ａ，３５ｂの縦方向上方へ撓った状態で示す光コネクタプラグ１０Ｃの正面図である。図５８は、光コネクタアダプタ５１と光コネクタプラグ１０Ｃとの連結中にプラグフレーム１２ａ，１２ｂが第１および第２案内凸部３５ａ，３５ｂの縦方向上方へ撓った状態で示す光コネクタプラグ１０Ｃの側面図である。図５６，５８では、光コネクタアダプタ５１の図示を省略している。
【０１５１】
二連式の光コネクタプラグ１０Ｃを光コネクタアダプタ５１に連結するには、第２ケーシング７２やスライダー７３を摘持し、第１および第２プラグフレーム１２ａ，１２ｂの第１および第２案内凸部３５ａ，３５ｂを光コネクタアダプタ５１の案内レール１１２に対向させ、第１および第２光コネクタアセンブリ６７ａ，６７ｂを光コネクタアダプタ５１の挿入開口から光コネクタアダプタ５１の内部に挿入する。第１および第２光コネクタアセンブリ６７ａ，６７ｂを光コネクタアダプタ５１に挿入しつつ、第１および第２光コネクタアセンブリ６７ａ，６７ｂを軸方向前方へ移動させると、第２ケーシング７２の頂壁９５から軸方向前方へ延びるそれら係合ラッチ３７ａ，３７ｂのアーム３９が光コネクタアダプタ５１の内部に次第に進入し、光コネクタアダプタ５１の頂壁１１３によってそれら係合ラッチ３７ａ，３７ｂの係合ヘッド４０が縦方向下方へ押圧され、係合ラッチ３７ａ，３７ｂのアーム３９が縦方向下方へ弾性変形して係合ヘッド４０が縦方向下方へ押し下げられる。
【０１５２】
第１および第２光コネクタアセンブリ６７ａ，６７ｂをさらに軸方向前方へ移動させ、係合ヘッド４０が光コネクタアダプタ５１の係止部５２に移動すると、図５４に示すように、アーム３９が縦方向上方へ弾性変形して係合ヘッド４０の係合凸部４１が光コネクタアダプタ５１の係止部５２に係合し、光コネクタプラグ１０Ｃが光コネクタアダプタ５１に連結される。係合ヘッド４０の係合凸部４１が光コネクタアダプタ５１の係止部５１に係合することで、第１および第２光コネクタアセンブリ６７ａ，６７ｂの光コネクタアダプタ５１に対する挿入状態が維持される。
【０１５３】
光コネクタプラグ１０Ｃに荷重が作用していない通常の状態において光コネクタアダプタ５１と光コネクタプラグ１０Ｃとの連結を解除するには、スライダー７３の摺動プレート１０５を押し下げるように力を加え、スライダー７３を軸方向後方へ移動させる。スライダー７３が軸方向後方へ移動すると、図５６に示すように、スライダー７３の摺動プレートの斜面１０９がそれら係合ラッチ３７ａ，３７ｂのアーム３９を縦方向下方へ押圧してアーム３９が縦方向下方へ弾性変形し、それによって係合ラッチ３７ａ，３７ｂの係合ヘッド４０が縦方向下方へ移動する。係合ヘッド４０が縦方向下方へ移動することで、係合ヘッド４０の係合凸部４１と光コネクタアダプタ５１の係止部５２との係合が解除され、その状態で第１および第２光コネクタアセンブリ６７ａ，６７ｂを軸方向後方へ引っ張って第１および第２プラグフレーム１２ａ，１２ｂを光コネクタアダプタ５１から引き抜く。
【０１５４】
光コネクタプラグ１０Ｃが光コネクタアダプタ５１に連結された状態で、ブーツ１６から軸方向後方へ延びる光ファイバコード４９が軸方向後方へ強く引っ張られるとともに、光ファイバコード４９が縦方向上方へ引き上げられて第１および第２光コネクタアセンブリ６７ａ，６７ｂに所定の荷重がかかると、図５７，５８に示すように、第１および第２プラグフレーム１２ａ，１２ｂが第１および第２案内凸部３５ａ，３５ｂの縦方向上方へ撓る場合がある。また、光コネクタプラグ１０Ｃが光コネクタアダプタ５１に連結された状態で、光ファイバコード４９が軸方向後方へ強く引っ張られるとともに、光ファイバコード４９が円弧を画くように回転させられて第１および第２光コネクタアセンブリ６７ａ，６７ｂに所定の荷重がかかると、第１および第２プラグフレーム１２ａ，１２ｂが第１および第２案内凸部３５ａ，３５ｂの縦方向上方へ撓る場合がある。
【０１５５】
光コネクタプラグ１０Ｃでは、第１および第２光コネクタアセンブリ６７ａ，６７ｂに所定の荷重がかかり、第１および第２プラグフレーム１２ａ，１２ｂが第１および第２案内凸部３５ａ，３５ｂの縦方向上方へ撓った場合、それら係合ラッチ３７ａ，３７ｂのアーム３９が撓ることなく係合ラッチ３７ａ，３７ｂの係合ヘッド４０と第１および第２案内凸部３５ａ，３５ｂとの距離（離間寸法）が縮まり、図５８に示すように、それら係合ヘッド４０の軸方向前端４２が第１および第２案内凸部３５ａ，３５ｂの頂面３６の軸方向後端４３に接触（当接）し、係合ヘッド４０の軸方向前端４２が案内凸部３５ａ，３５ｂの頂面３６の軸方向後端４３に支持される。光コネクタプラグ１０Ｃは、それらプラグフレーム１２ａ，１２ｂが第１および第２案内凸部３５ａ，３５ｂの縦方向上方へ撓ったときに、係合ラッチ３７ａ，３７ｂの係合ヘッド４０の軸方向前端４２が案内凸部３５ａ，３５ｂの軸方向後端４３に支持されることで、案内凸部３５ａ，３５ｂの縦方向下方への係合ヘッド４０の移動が阻止される。
【０１５６】
第１および第２プラグフレームが案内凸部１２ａ，１２ｂの縦方向上方へ撓ったときに、それら係合ラッチ３７ａ，３７ｂの係合ヘッド４０の軸方向前端４２が第１および第２案内凸部３５ａ，３５ｂの軸方向後端４３に支持されることなく係合ヘッド４０が案内凸部３５ａ，３５ｂの縦方向下方へ移動（おじぎ）すると、係合ヘッド４０の係合凸部４１が光コネクタアダプタ５１の係止部５２から外れ、光コネクタプラグ１０Ｃと光コネクタアダプタ５１との連結が解除される場合があるが、光コネクタプラグ１０Ｃは、係合ラッチ３７ａ，３７ｂの係合ヘッド４０の軸方向前端４２が第１および第２案内凸部３５ａ，３５ｂの軸方向後端４３から軸方向後方へ離間しつつ案内凸部３５ａ，３５ｂの軸方向後端４３に近接し、係合ラッチ３７ａ，３７ｂの係合ヘッド４０の軸方向前端４２が第１および第２案内凸部３５ａ，３５ｂの軸方向後端４３の縦方向上方へ離間しつつ案内凸部３５ａ，３５ｂの軸方向後端４３に近接することで、第１および第２プラグフレーム１２ａ，１２ｂが第１および第２案内凸部３５ａ，３５ｂの縦方向上方へ撓ったときにそれら係合ヘッド４０の軸方向前端４２と案内凸部３５ａ，３５ｂの軸方向後端４３との距離が縮まり、係合ヘッド４０の軸方向前端４２が案内凸部３５ａ，３５ｂの頂面３６の軸方向後端４３に接触（当接）し、係合ヘッド４０の軸方向前端４２が案内凸部３５ａ，３５ｂの頂面３６の軸方向後端４３に支持されるから、第１および第２案内凸部３５ａ，３５ｂから縦方向下方への係合ヘッド４０の移動（おじぎ）を阻止することができ、係合ヘッド４０の係合凸部４１と光コネクタアダプタ５１の係止部５２との係合が不用意に解除されることはなく、光コネクタプラグ１０Ｃと光コネクタアダプタ５１との光接続状態を維持することができる。
【０１５７】
光コネクタプラグ１０Ｃは、その使用中にそれらプラグフレーム１２ａ，１２ｂに所定の荷重がかかったとしても、それら係合ラッチ３７ａ，３７ｂの係合ヘッド４０の係合凸部４１と光コネクタアダプタ５１の係止部５２との係合が不用意に解除される事故を防ぐことができ、光コネクタプラグ１０Ｃと光コネクタアダプタ５１との連結が不用意に解除された場合の光コネクタプラグ１０Ｃと光コネクタアダプタ５１とを再連結する労力を省くことができる。
【０１５８】
第１および第２案内凸部３５ａ，３５ｂの軸方向後端４３に対するそれら係合ヘッド４０の軸方向前端４２の軸方向後方への離間寸法が０．０１ｍｍ未満であり、案内凸部３５ａ，３５ｂの軸方向後端４３に対するそれら係合ヘッド４０の軸方向前端４２の縦方向上方への離間寸法が０．０１ｍｍ未満では、光コネクタアダプタ１０Ｃに荷重が作用していない通常の状態（プラグフレーム１２ａ，１２ｂの撓りがない通常の状態）において第１および第２光コネクタアセンブリ６７ａ，６７ｂ（プラグフレーム１２ａ，１２ｂ）を光コネクタアダプタ５１から引き抜く場合、それら係合ラッチ３７ａ，３７ｂのアーム３９を縦方向下方へ旋回させたときに、係合ラッチ３７ａ，３７ｂの係合ヘッド４０の軸方向前端４２が案内凸部３５ａ，３５ｂに頂面３６の軸方向後端４３に接触（当接）し、係合ヘッド４０の係合凸部４１を光コネクタアダプタ５１の係止部５２の下方へ移動させることができない場合があり、係合ヘッド４０の係合凸部４１と光コネクタアダプタ５１の係止部５２との係合を解除することができない場合がある。
【０１５９】
第１および第２案内凸部３５ａ，３５ｂの軸方向後端４３に対するそれら係合ヘッド４０の軸方向前端４２の軸方向後方への離間寸法が０．２ｍｍを超過し、案内凸部３５ａ，３５ｂの軸方向後端４３に対するそれら係合ヘッド４０の軸方向前端４２の縦方向上方への離間寸法が０．４ｍｍを超過すると、プラグフレーム１２ａ，１２ｂが第１および第２案内凸部３５ａ，３５ｂの縦方向上方へ撓ったときに、係合ラッチ３７ａ，３７ｂの係合ヘッド４０の軸方向前端４２が案内凸部２５ａ，３５ｂの頂面３６の軸方向後端４３に接触（当接）せず、案内凸部３５ａ，３５ｂの頂面３６の軸方向後端４３によって係合ヘッド４０の軸方向前端４２を支持することができない場合があり、第１および第２案内凸部３５ａ，３５ｂから縦方向下方への係合ヘッド４０の移動を阻止することができず、係合ヘッド４０の係合凸部４１と光コネクタアダプタ５１の係止部５２との係合が解除されてしまう場合がある。
【０１６０】
光コネクタプラグ１０Ｃは、第１および第２案内凸部３５ａ，３５ｂの軸方向後端４３に対する係合ラッチ３７ａ，３７ｂの係合ヘッド４０の軸方向前端４２の軸方向後方への離間寸法が０．０１〜０．２ｍｍの範囲にあり、第１および第２案内凸部３５ａ，３５ｂの軸方向後端４３に対する係合ラッチ３７ａ，３７ｂの係合ヘッド４９の軸方向前端４２の縦方向上方への離間寸法が０．０１〜０．４ｍｍの範囲にあるから、光コネクタアダプタ１０Ｃに荷重が作用していない通常の状態（プラグフレーム１２ａ，１２ｂの撓りがない通常の状態）において、係合ヘッド４０の係合凸部４１を光コネクタアダプタ５１の係止部５２の下方へ移動させることができ、係合ヘッド４０の係合凸部４１と光コネクタアダプタ５１の係止部５２との係合を確実に解除することができるとともに、プラグフレーム１２ａ，１２ｂが第１および第２案内凸部３５ａ，３５ｂの縦方向上方へ撓ったときに、係合ラッチ３７ａ，３７ｂの係合ヘッド４０の軸方向前端４２が案内凸部３５ａ，３５ｂの頂面３６の軸方向後端４３に確実に支持され、案内凸部３５ａ，３５ｂから縦方向下方への係合ヘッド４０の移動を阻止することができ、係合ヘッド４０の係合凸部４１と光コネクタアダプタ５１の係止部５２との係合が不用意に解除されることはなく、光コネクタプラグ１０Ｃと光コネクタアダプタ５１との光接続状態を確実に維持することができる。
【０１６１】
二連式の光コネクタプラグ１０Ｃは、第１および第２光コネクタアセンブリ６７ａ，６７ｂのうちの一方の光コネクタアセンブリ６７ａ，６７ｂをその軸を中心に時計回り方向または反時計回り方向へ回転させると、それに連動して他方の光コネクタアセンブリ６７ａ，６７ｂがその軸を中心に一方の光コネクタアセンブリ６７ａ，６７ｂと同一の時計回り方向または反時計回り方向へ同一の回転角度で同時に回転するから、第１および第２光コネクタアセンブリ６７ａ，６７ｂのうちの一方の光コネクタアセンブリ６７ａ，６７ｂを回転させるだけで、他方のコネクタアセンブリ６７ａ，６７ｂを一方の光コネクタアセンブリ６７ａ，６７ｂと同一の方向へ同一の回転角度で同時に回転させることができる。
【０１６２】
二連式の光コネクタプラグ１０Ｃは、第１および第２光コネクタアセンブリ６７ａ，６７ｂが同一の方向へ同一の回転角度で同時に回転するから、一度の回転操作（ワンアクション）で第１および第２光コネクタアセンブリ６７ａ，６７ｂを同時に回転させることができ、それら光コネクタアセンブリ６７ａ，６７ｂを別々に回転させる場合と比較して手間や時間を省くことができる。
【０１６３】
二連式の光コネクタプラグ１０Ｃは、回転角度規制手段（当接凸部８０および回転規制凸部９２）によって第１および第２光コネクタアセンブリ６７ａ，６７ｂの回転始点から回転終点までの回転角度を半回転（１８０度）に規制し、たとえば、それら光コネクタアセンブリ６７ａ，６７ｂの極性を変換する場合、時計回り方向へ半回転（１８０度）回転させた位置で回転を停止させることで、光コネクタプラグ１０Ｃの極性を確実かつ正確に変換することができ、逆に、時計回り方向へ半回転（１８０度）回転させた第１および第２光コネクタアセンブリ６７ａ，６７ｂを反時計回り方向へ半回転（１８０度）回転させることで、光コネクタプラグ１０Ｃの極性を確実かつ正確に戻すことができる。
【０１６４】
二連式の光コネクタプラグ１０Ｃは、たとえば、第１および第２光コネクタアセンブリ６７ａ，６７ｂの極性を変換する場合、第１および第２光コネクタアセンブリ６７ａ，６７ｂのいずれかを回転させることでそれら光コネクタアセンブリ６７ａ，６７ｂの極性を変換することができる他、第１ケーシング７１を上下反転させた状態で第２ケーシング７２に収容することで、それら光コネクタアセンブリ６７ａ，６７ｂの極性を変換することができる。
【０１６５】
実施例として光コネクタプラグと光コネクタアダプタとの連結は、Ｔｅｌｃｏｒｄｉａ  ＧＲ−３２６−ＣＯＲＥ  Ｉｓｓｕｅ  ４  Ｇｅｎｅｒｉｃ  Ｒｅｑｕｉｒｅｍｅｎｔｓ  ｆｏｒ  Ｓｉｎｇｌｅｍｏｄｅ  Ｏｐｔｉｃａｌ  Ｃｏｎｎｅｃｔｏｒｓ  ａｎｄ  Ｊｕｍｐｅｒ  Ａｓｓｅｍｂｌｉｅｓ  の  Ｐｒｏｏｆ  Ｔｅｓｔ  に従い、光ファイバコードが２２．６Ｎ（２．３ｋｇｆ）の力で引張られた状態で縦方向上方へ９０度引き上げられる試験を行った結果、光コネクタプラグと光コネクタアダプタとの連結が解除されることはなかった。また、ＩＥＣ  ６１３００−２−３５  Ｔｅｓｔｓ−Ｃａｂｌｅ  ｎｕｔａｔｉｏｎ  に従い、光ファイバコードを１０Ｎ（１．０２ｋｇｆ）及び１５Ｎ（１．５３ｋｇｆ）の力で引張られた状態で４５度の偏角をもって円弧を画くように回転させられる試験を行った結果、光コネクタプラグと光コネクタアダプタとの連結が解除されることはなかった。光コネクタを使用する環境によっては、作業者による光ファイバコードの引張りや光コネクタ挿抜時の手や腕との接触など、また、意図せずに光ファイバコードを引っかける事故などにより予期せぬ荷重がかかる場合が有り、作業中に加わる横方向引張り荷重としては、１．６７Ｎ（０．１７ｋｇｆ）〜３３．３Ｎ（３．４ｋｇｆ）が想定される。
【符号の説明】
【０１６６】
１０Ａ  光コネクタプラグ
１０Ｂ  光コネクタプラグ
１０Ｃ  二連式の光コネクタプラグ
１０Ｄ  光コネクタプラグ
１１    フェルール
１１ａ  第１フェルール
１１ｂ  第２フェルール
１２    プラグフレーム
１２ａ  第１プラグフレーム
１２ｂ  第２プラグフレーム
１３    ストップリング
１３ａ  第１ストップリング
１３ｂ  第２ストップリング
１４    バネ
１４ａ  第１バネ
１４ｂ  第２バネ
１５    カシメリング
１６    ブーツ
１７    キャピラリ
１７ａ  第１キャピラリ
１７ｂ  第２キャピラリ
１８    スリーブ
１８ａ  第１スリーブ
１８ｂ  第２スリーブ
１９    光ファイバ
１９ａ  第１光ファイバ
１９ｂ  第２光ファイバ
２０    先端面
２１    面取り部
２２    ファイバ挿入孔
２２ａ  第１光ファイバ挿入孔
２２ｂ  第２光ファイバ挿入孔
２３    心線カバー
２３ａ  第１心線カバー
２３ｂ  第２心線カバー
２４    フランジ
２４ａ  第１フランジ
２４ｂ  第２フランジ
２５    キャピラリ挿入孔
２６    心線挿入孔
２７    頂壁
２８    底壁
２９    側壁
３０    側壁
３１    フェルール収容スペース
３２    前端露出口
３３    後端挿入口
３４    嵌合孔
３５    案内凸部（凸部）
３５ａ  第１案内凸部（第１凸部）
３５ｂ  第２案内凸部（第１凸部）
３６    頂面
３７    係合ラッチ
３７ａ  第１係合ラッチ
３７ｂ  第２係合ラッチ
３８    ベース
３９    アーム
４０    係合ヘッド
４１    係合凸部
４２    軸方向前端
４３    軸方向後端
４４    心線露出口
４５    心線挿入口
４６    嵌合凸部
４７    嵌合リング
４８    カシメ部
４９    光ファイバコード
５０    当接部
５１    光コネクタアダプタ
５２    係止部
５３    ケーシング
５４    スライダー
５５    頂壁
５６    底壁
５７    側壁
５８    側壁
５９    案内壁
６０    前端開口
６１    後端開口
６２    プラグフレーム収容部
６３    ボックス
６４    摺動頂壁
６５    案内プレート
６６    斜面
６７ａ  第１光コネクタアセンブリ
６７ｂ  第２光コネクタアセンブリ
６８    第１歯車
６９    第２歯車
７０    中間歯車
７１    第１ケーシング
７２    第２ケーシング
７３    スライダー
７４    パイプ
７５    嵌入凹部
７６    当接フランジ
７７    前端部
７８    中間部
７９    後端部
８０    当接凸部
８１    頂壁
８２    底壁
８３    側壁
８４    側壁
８５    仕切壁
８６ａ  第１開口
８６ｂ  第２開口
８７    係入凹部
８８    開口凸部
８９    第１歯車収容部
９０    第２歯車収容部
９１    中間歯車収容部
９２    回転規制凸部（回転角度規制手段）
９３    嵌合爪
９４    嵌合孔
９５    頂壁
９６    底壁
９７    側壁
９８    側壁
９９    案内壁
１００  前端開口
１０１  後端開口
１０２  係入凸部
１０３  係入キー
１０４  ボックス
１０５  摺動プレート
１０６  案内プレート
１０７  前端開口
１０８  後端開口
１０９  斜面
１１０  キー係入部
１１１  光ファイバ心線
【図１】
2019028425.tif 000003
【図２】
2019028425.tif 000004
【図３】
2019028425.tif 000005
【図４】
2019028425.tif 000006
【図５】
2019028425.tif 000007
【図６】
2019028425.tif 000008
【図７】
2019028425.tif 000009
【図８】
2019028425.tif 000010
【図９】
2019028425.tif 000011
【図１０】
2019028425.tif 000012
【図１１】
2019028425.tif 000013
【図１２】
2019028425.tif 000014
【図１３】
2019028425.tif 000015
【図１４】
2019028425.tif 000016
【図１５】
2019028425.tif 000017
【図１６】
2019028425.tif 000018
【図１７】
2019028425.tif 000019
【図１８】
2019028425.tif 000020
【図１９】
2019028425.tif 000021
【図２０】
2019028425.tif 000022
【図２１】
2019028425.tif 000023
【図２２】
2019028425.tif 000024
【図２３】
2019028425.tif 000025
【図２４】
2019028425.tif 000026
【図２５】
2019028425.tif 000027
【図２６】
2019028425.tif 000028
【図２７】
2019028425.tif 000029
【図２８】
2019028425.tif 000030
【図２９】
2019028425.tif 000031
【図３０】
2019028425.tif 000032
【図３１】
2019028425.tif 000033
【図３２】
2019028425.tif 000034
【図３３】
2019028425.tif 000035
【図３４】
2019028425.tif 000036
【図３５】
2019028425.tif 000037
【図３６】
2019028425.tif 000038
【図３７】
2019028425.tif 000039
【図３８】
2019028425.tif 000040
【図３９】
2019028425.tif 000041
【図４０】
2019028425.tif 000042
【図４１】
2019028425.tif 000043
【図４２】
2019028425.tif 000044
【図４３】
2019028425.tif 000045
【図４４】
2019028425.tif 000046
【図４５】
2019028425.tif 000047
【図４６】
2019028425.tif 000048
【図４７】
2019028425.tif 000049
【図４８】
2019028425.tif 000050
【図４９】
2019028425.tif 000051
【図５０】
2019028425.tif 000052
【図５１】
2019028425.tif 000053
【図５２】
2019028425.tif 000054
【図５３】
2019028425.tif 000055
【図５４】
2019028425.tif 000056
【図５５】
2019028425.tif 000057
【図５６】
2019028425.tif 000058
【図５７】
2019028425.tif 000059
【図５８】
2019028425.tif 000060
【図５９】
2019028425.tif 000061
【図６０】
2019028425.tif 000062
【手続補正書】
【提出日】平成30年6月13日(2018.6.13)
【手続補正１】
【補正対象書類名】特許請求の範囲
【補正対象項目名】請求項１
【補正方法】変更
【補正の内容】
【請求項１】
光ファイバを保持して軸方向へ延びるフェルールと、前記フェルールを収容して軸方向へ延びるプラグフレームと、前記プラグフレームに係入するストップリングと、前記フェルールと前記ストップリングとの間に配置されて該フェルールを軸方向前方へ付勢するばねと、前記プラグフレームを光コネクタアダプタに連結する係合ラッチとを有し、前記プラグフレームが、その軸方向前方に位置する凸部を有し、前記係合ラッチが、前記プラグフレームの軸方向後方から前記凸部に向かって軸方向へ延びていて縦方向へ弾性変形可能なアームと、前記アームの軸方向前方に位置して前記プラグフレームを前記光コネクタアダプタに挿入したときに該光コネクタアダプタの係止部に係脱可能に係合する係合ヘッドとを有する光コネクタプラグにおいて、
前記係合ヘッドの軸方向前端が、前記凸部の軸方向後端から軸方向後方へ離間しつつ該凸部の軸方向後端に近接し、前記光コネクタプラグでは、前記プラグフレームに所定の荷重がかかり、前記プラグフレームが前記凸部の縦方向上方へ撓ったときに、前記係合ヘッドの軸方向前端が前記凸部に支持されることで、前記凸部から縦方向下方への前記係合ヘッドの移動を前記係合ヘッドと前記光コネクタアダプタの前記係止部との係合が不用意に解除されることがないように阻止されることを特徴とする光コネクタプラグ。
【手続補正２】
【補正対象書類名】特許請求の範囲
【補正対象項目名】請求項９
【補正方法】変更
【補正の内容】
【請求項９】
第１光ファイバを保持して軸方向へ延びる第１フェルールと、前記第１フェルールを収容して軸方向へ延びる第１プラグフレームと、前記第１プラグフレームに係入する第１ストップリングと、前記第１フェルールと前記第１ストップリングとの間に配置されて該第１フェルールを軸方向前方へ付勢する第１ばねと、前記第１プラグフレームを前記光コネクタアダプタに連結する第１係合ラッチと、前記第１プラグフレームの軸方向前方に位置する第１凸部とを有する第１光コネクタアセンブリと、第２光ファイバを保持して軸方向へ延びる第２フェルールと、前記第２フェルールを収容して軸方向へ延びる第２プラグフレームと、前記第２プラグフレームに係入する第２ストップリングと、前記第２フェルールと前記第２ストップリングとの間に設置されて該第２フェルールを軸方向前方へ付勢する第２ばねと、前記第２プラグフレームを前記光コネクタアダプタに連結する第２係合ラッチと、前記第２プラグフレームの軸方向前方に位置する第２凸部とを有して前記第１光コネクタアセンブリに並行する第２光コネクタアセンブリとから形成され、前記第１係合ラッチが、前記第１プラグフレームの軸方向後方から前記第１凸部に向かって軸方向へ延びていて縦方向へ弾性変形可能な第１アームと、前記第１アームの軸方向前方に位置して前記第１プラグフレームを前記光コネクタアダプタに挿入したときに該光コネクタアダプタの係止部に係脱可能に係合する第１係合ヘッドとを有し、前記第２係合ラッチが、前記第２プラグフレームの軸方向後方から前記第２凸部に向かって軸方向へ延びていて縦方向へ弾性変形可能な第２アームと、前記第２アームの軸方向前方に位置して前記第２プラグフレームを前記光コネクタアダプタに挿入したときに該光コネクタアダプタの係止部に係脱可能に係合する第２係合ヘッドとを有する二連式の光コネクタプラグにおいて、
前記第１係合ヘッドの軸方向前端が、前記第１凸部の軸方向後端から軸方向後方へ離間しつつ該第１凸部の軸方向後端に近接し、前記第２係合ヘッドの軸方向前端が、前記第２凸部の軸方向後端から軸方向後方へ離間しつつ該第２凸部の軸方向後端に近接し、前記光コネクタプラグでは、前記第１プラグフレームに所定の荷重がかかり、前記第１プラグフレームが前記第１凸部の縦方向上方へ撓ったときに、前記第１係合ヘッドの軸方向前端が前記第１凸部に支持されることで、前記第１凸部から縦方向下方への前記第１係合ヘッドの移動を前記係合ヘッドと前記光コネクタアダプタの前記係止部との係合が不用意に解除されることがないように阻止され、前記第２プラグフレームに所定の荷重がかかり、前記第２プラグフレームが前記第２凸部の縦方向上方へ撓ったときに、前記第２係合ヘッドの軸方向前端が前記第２凸部に支持されることで、前記第２凸部から縦方向下方への前記第２係合ヘッドの移動を前記係合ヘッドと前記光コネクタアダプタの前記係止部との係合が不用意に解除されることがないように阻止されることを特徴とする二連式の光コネクタプラグ。